【事件の表示】
　特許第６３２９０６８号発明「パネル支持装置」の特許異議申立事件について、次のとおり決定する。
【結　論】
　特許第６３２９０６８号の請求項１、３、５、８、１１ないし１３、１５、１７、１８に係る特許を維持する。
【理　由】
１　手続の経緯
　特許第６３２９０６８号の請求項１ないし１８に係る特許についての出願は、２０１２年（平成２４年）４月１０日（パリ条約による優先権主張：２０１１年（平成２３年）４月１５日　フランス）に国際特許出願され、平成３０年４月２７日付けでその特許権が設定登録され、同年５月２３日に特許掲載公報が発行され、その後、同年１１月２１日に特許異議申立人　西郷新（以下「特許異議申立人」という。）より請求項１、３、５、８、１１ないし１３、１５、１７、１８に対して特許異議の申し立てがされたものである。
２　本件発明
　特許第６３２９０６８号の請求項１ないし１８の特許に係る発明は、それぞれ、その特許請求の範囲の請求項１ないし１８に記載された事項により特定される次のとおりのものである。
「【請求項１】
　一つの下部壁（３）、一つの上部壁（４）および四つの側壁（５、６、７、８）を構成する気密な単一のプラスチック製ケーシング（２）で主に構成されたモジュール式要素である光起電力パネル支持装置（１）であって、前記プラスチック製ケーシング（２）は、それがフロートを構成できるようにする一定の空気体積を閉じ込めることができるものであり、光起電力パネル支持装置は、前記プラスチック製ケーシングの前記上部壁（４）上に光起電力パネルの維持手段を有し、
　前記プラスチック製ケーシング（２）が、
−　前記光起電力パネルの通気を目的とし、前記上部壁（４）から前記下部壁（３）まで前記プラスチック製ケーシング（２）を貫通するくり抜き部（１４）を有し、
　前記維持手段が前記プラスチック製ケーシング（２）に固定されたエラストマー製の二つの固定用形材（６１、６２；６３；６４）を含み、前記二つの固定用形材（６１、６２；６３；６４）が互いに平行に延在し、各々の固定用形材が、フレーム付き光起電力パネルのフレーム（Ｃ）を挟持することを目的とする、あるいはフレーム無しの光起電力パネルを挟持することを目的とする長手方向スリット（６５）を有し、二つの固定用形材の前記長手方向スリット（６５）が光起電力パネルの平面に対して平行な同じ平面に沿って延在しており、前記二つの固定用形材（６１、６２；６３；６４）が、フレームの二つの相対する縁部（Ｃ１、Ｃ２）の挟持によるフレーム付き光起電力パネルの固定あるいは光起電力パネルの二つの縁部の挟持によるフレーム無しの光起電力パネルの固定を可能にするような形で互いに離隔されている、光起電力支持装置。
　【請求項２】
　各々のエラストマー製固定用形材（６１、６２；６３；６４）が、装置（１）の前記プラスチック製ケーシング（２）の固定用リブ（６６；６７）に対して相補的な形状をもつ溝を含み、エラストマー製固定用形材の前記相補的溝（６８）の中に固定用リブを入り込ませることによって前記固定用形材が前記プラスチック製ケーシング（２）と一体化される、請求項１に記載の装置。
　【請求項３】
　前記プラスチック製ケーシング（２）が、
−　上部表面（４）上で深さ方向に延在し、前記光起電力パネルの通気を目的とし、前記プラスチック製ケーシング（２）の一つの側壁から前記プラスチック製ケーシングの反対側の側壁まで延在している少なくとも一つの流路（１５、１６）、
を有する、請求項１または２に記載の装置。
　【請求項４】
　前記下部壁（３）および上部壁（４）が互いに平行でなく、互いに角度αだけ傾斜しており、前記角度αは、例えば１２°といったように１０°〜３０°の間に含まれていて、装置が前記下部壁（３）を介して水平な表面上に載っている場合に水平との関係において光起電力パネルＰを前記同じ角度αだけ傾斜させるようになっている、請求項１〜３のいずれか一つに記載の装置。
　【請求項５】
　一つの下部壁（３）、一つの上部壁（４）および四つの側壁（５、６、７、８）を構成する気密な単一のプラスチック製ケーシング（２）で主に構成されたモジュール式要素である光起電力パネル支持装置（１）であって、前記プラスチック製ケーシング（２）は、それがフロートを構成できるようにする一定の空気体積を閉じ込めることができるものであり、光起電力パネル支持装置は、前記プラスチック製ケーシングの前記上部壁（４）上に光起電力パネルの維持手段を有し、
　前記プラスチック製ケーシング（２）が、
−　前記光起電力パネルの通気を目的とし、前記上部壁（４）から前記下部壁（３）まで前記プラスチック製ケーシング（２）を貫通するくり抜き部（１４）を有し、
　前記プラスチック製ケーシング（２）が、
−　上部表面（４）上で深さ方向に延在し、前記光起電力パネルの通気を目的とし、前記プラスチック製ケーシング（２）の一つの側壁から前記プラスチック製ケーシングの反対側の側壁まで延在している少なくとも一つの流路（１５、１６）、
を有する、光起電力支持装置。
　【請求項６】
　前記下部壁（３）および上部壁（４）が互いに平行でなく、互いに角度αだけ傾斜しており、前記角度αは、例えば１２°といったように１０°〜３０°の間に含まれていて、装置が前記下部壁（３）を介して水平な表面上に載っている場合に水平との関係において光起電力パネルＰを前記同じ角度αだけ傾斜させるようになっている、請求項５に記載の装置。
　【請求項７】
　一つの下部壁（３）、一つの上部壁（４）および四つの側壁（５、６、７、８）を構成する気密な単一のプラスチック製ケーシング（２）で主に構成されたモジュール式要素である光起電力パネル支持装置（１）であって、前記プラスチック製ケーシング（２）は、それがフロートを構成できるようにする一定の空気体積を閉じ込めることができるものであり、光起電力パネル支持装置は、前記プラスチック製ケーシングの前記上部壁（４）上に光起電力パネルの維持手段を有し、
　前記プラスチック製ケーシング（２）が、
−　前記光起電力パネルの通気を目的とし、前記上部壁（４）から前記下部壁（３）まで前記プラスチック製ケーシング（２）を貫通するくり抜き部（１４）を有し、
　前記下部壁（３）および上部壁（４）が互いに平行でなく、互いに角度αだけ傾斜しており、前記角度αは、例えば１２°といったように１０°〜３０°の間に含まれていて、装置が前記下部壁（３）を介して水平な表面上に載っている場合に水平との関係において光起電力パネルＰを前記同じ角度αだけ傾斜させるようになっている、光起電力支持装置。
　【請求項８】
　前記装置（１）の前記プラスチック製ケーシング（２）が栓により閉鎖される開口部（２００）を有し、これによりプラスチック製ケーシング（２）の内部容積を部分的に充填することが可能となる、請求項１〜７のいずれか一つに記載の装置。
　【請求項９】
　前記プラスチック製ケーシング（２）が前記プラスチック製ケーシング（２）の四つのコーナーの部位に固定用耳部（２０１）を有する、請求項１〜８のいずれか一つに記載の装置。
　【請求項１０】
　プラスチック製ケーシング（２）の側壁（５、６、７、８）のうち少なくとも二つ（５、７）が凹形形状である、請求項１〜９のいずれか一つに記載の装置。
　【請求項１１】
　請求項１〜１０のいずれか一つに記載の光起電力支持装置における前記プラスチック製ケーシングを、押出ブロー成形技術によって製造することを特徴とする、光起電力支持装置の製造方法。
　【請求項１２】
　請求項１〜１０のいずれか一つに記載の光起電力パネル支持装置（１）と連結用要素（３０）とを組立てた結果として得られる光起電力パネル支持システム（５０）であって、各連結用要素が主として気密なプラスチック製ケーシング（３１）により構成されており、前記連結用要素の前記プラスチック製ケーシング（３１）が、一つの下部壁（３２）、一つの上部壁（３３）および四つの側壁（３４、３５、３６、３７）を構成し、前記プラスチック製ケーシング（３１）が、前記連結用要素（３０）の浮動性を確保できるようにする内部容積を有している、請求項１〜１０のいずれか一つに記載の前記装置（１）と前記連結用要素（３０）を互いに組立てるための固定用手段を有する、光起電力パネル支持システム。
　【請求項１３】
　固定用手段が装置（１）のプラスチック製ケーシング（２）の固定用耳部（２０１）、ならびに、連結用要素（３０）のプラスチック製ケーシング（３１）の固定用耳部（３０１）、ならびに留めピンを含み、各々の留めピンは、組立てのロックを確保するために、対面させられた二つさらには三つの耳部を同時に貫通するようになっている、請求項１２に記載のシステム。
　【請求項１４】
　請求項１〜８のいずれか一つに記載の装置（１）の少なくとも二本の列（Ｒ１、Ｒ２）を有し、装置（１）の前記二本の列（Ｒ１、Ｒ２）が、保守用通路を構成することのできる、連結用要素（３０）の一本の間置列（Ｒ３）を用いて維持されている、請求項１２または１３に記載のシステム。
　【請求項１５】
　請求項１〜１０のいずれか一つに記載の光起電力パネル支持装置（１）および連結用要素（３０）がモジュール式要素である、請求項１２〜１４のいずれか一つに記載のシステム。
　【請求項１６】
　前記支持装置（１）のプラスチック製ケーシングからはみ出す形で光起電力パネルが具備されるように、同一の列（Ｒ１）に属する連続する二つの支持装置（１）が、二つの間置列（Ｒ３）に属する平行な二つの連結用要素（３０）を用いて互いに遠位に離隔されており、
　前記二つの支持装置（１）を離隔する前記二つの連結用要素（３０）が、前記二つの離隔された支持装置（１）の間に空間を形成し、前記パネルのはみ出す部分が、前記空間の上に延在する、請求項１４に記載のシステム。
　【請求項１７】
　前記連結用要素（３０）各々のプラスチック製ケーシング（３１）が、栓により閉鎖される開口部（３００）を有する、請求項１２〜１６のいずれか一つに記載のシステム。
　【請求項１８】
　浮動式太陽光発電設備の実現のための、請求項１〜１０のいずれか一つに記載の装置または請求項１２〜１７のいずれか一つに記載のシステムの利用。」
３　申立理由の概要
　特許異議申立人は、主たる証拠として、甲第１号証：特開２００７−１０９７６９号公報（以下「文献１」という。）、甲第２号証：特開２００４−２２８２６３号公報（以下「文献２」という。）、甲第６号証：特開２００４−７１９６５号公報（以下「文献３」という。）、甲第７号証：特開２００２−１７３０８３号公報（以下「文献４」という。）、甲第１４号証：特開平１１−３０１５７８号公報（以下「文献５」という。）、甲第１５号証：特開昭５７−６２５７２号公報（以下「文献６」という。）、甲第１６号証：実用新案登録第３０６９０２１号公報（以下「文献７」という。）及び甲第１７号証：特開２００２−２８１７７３号公報（以下「文献８」という。）を提出し、従たる証拠として、甲第３号証：特開２００５−２１７１８１号公報（以下「文献９」という。）、甲第４号証：米国特許出願公開第２００７／０２３４９４５号明細書（以下「文献１０」という。）、甲第５号証：国際特許出願公開第２０１０／０６４１０５号（以下「文献１１」という。）、甲第８号証：特開平７−１３２５５２号公報（以下「文献１２」という。）、甲第９号証：特開昭５０−３０９５９号公報（以下「文献１３」という。）、甲第１０号証：特開２００２−６５０１１号公報（以下「文献１４」という。）、甲第１１号証：特開昭５８−１２４６２２号公報（以下「文献１５」という。）、甲第１２号証：特開２００１−２５４４９４号公報（以下「文献１６」という。）、甲第１３号証：特開平９−７２０５７号公報（以下「文献１７」という。）、甲第１８号証：特開２００２−２４２３５５号公報（以下「文献１８」という。）、甲第１９号証：特開平１１−６２１４３号公報（以下「文献１９」という。）、甲第２０号証：特開２０１０−９０７０１号公報（以下「文献２０」という。）を提出し、請求項１、３、５、８、１１ないし１３、１５、１７、１８に係る特許は、特許法第２９条第２項の規定に違反してされたものであるから、取り消すべきものである旨主張する。
４　文献の記載
（１）文献１
　文献１（特開２００７−１０９７６９号公報）には、図面とともに次の事項が記載されている。
ア　「【００１４】
　図１〜図６に、本発明のフロート装置の一実施例を示す。
　
このフロート装置は、板状の浮体１の縁部に連結部２を形成し、該連結部２を介して複数の浮体１を連結するとともに、各浮体１の上に太陽電池３を敷設している。
【００１５】
　
浮体１は、
ポリエチレンやポリプロピレンを素材としてブロー成形した四角形の板状ブロックからなり、
　上側の鍔部４ａには、図５（ｅ）〜（ｆ）に示すように、断面鳩尾状の浅溝５が形成されるとともに、下側の鍔部４ｂには、図５（ｃ）〜（ｄ）に示すように、該浅溝５に嵌合する鳩尾状のアリ部６が形成されており、これら浅溝５とアリ部６により複数の浮体１を前後に連結するようにしている。
　一方、浮体１の左右いずれかの側部には、断面鳩尾状の長溝７が浮体の前後方向に形成されており、図５（ｂ）に示すように、左右１対の浮体１を長溝７を突き合わせるように並べ、断面鼓状に形成した棒状の接合部材８を長溝７に挿入することにより、浮体１を左右に連結するようにしている。
【００１６】
　また、
浮体１は、
その上面を傾斜面とするとともに、この傾斜面に排水溝９を形成しており、この浮体１の上面に、１枚の太陽電池３を敷設し固定している。
　浮体１の上面外周部には、４個の突起１０が形成されるとともに、浮体１の下面の突起１０と対応する位置には、該突起１０と嵌合する凹部１１が形成されている。
　突起１０は、図６（ｃ）に示すように、積み重ね時に浮体１が水平になるように、傾斜面の下側の突起１０を長く形成している。
　このように、浮体１の上面を傾斜面とすることにより、水はけを良くし、太陽電池３の防水性を高めることができる。
　この場合、太陽光のエネルギー変換効率が良くなるように傾斜面の方向及び角度を設定することができる。
【００１７】
　
太陽電池３は、
ブロー成形時に浮体１に組み込み成形したボルト等の締結具
を利用して、浮体１に二次接合されている。
　このように浮体１に敷設した太陽電池３は、浮体１を上記のように組み合わせて連結することにより、一体化して大面積の水面にも対応することができる。
　なお、本実施例においては、太陽電池３に、浮体１と略同じ大きさの太陽電池を使用したが、これに限定されず、例えば、複数の浮体１に亘る大きさの太陽電池、より具体的には、シート状でフレキシブルな太陽電池を用いることもできる。
【００１８】
　かくして、本実施例のフロート装置は、板状の浮体１の縁部に連結部２を形成し、該連結部２を介して複数の浮体１を連結するとともに、各浮体１の上に太陽電池３を敷設することから、太陽電池３を大面積の水面に容易に設置することができ、また、浮体１は構造が簡単で、ブロー成形等により一体成形できることから、コストが安く軽量でハンドリング性のよい発電・防藻用フロートとすることができる。
【００１９】
　この場合、浮体１の上面外周部に複数の突起１０を形成するとともに、浮体１の下面の突起１０と対応する位置に、該突起１０と嵌合する凹部１１を形成することにより、分解した浮体１を安定した状態で積み重ねることができ、さらに、浮体１の上面を傾斜面とすることにより、水はけを良くし、太陽電池３の防水性を高めることができる。」
イ　上記の記載から、文献１には、次の発明（以下「文献１発明」という。）が記載されていると認められる。
「板状の浮体の縁部に連結部を形成し、連結部を介して複数の浮体を連結するとともに、各浮体の上に太陽電池を敷設しているフロート装置であって、
　ポリエチレンやポリプロピレンを素材としてブロー成形した四角形の板状ブロックからなる浮体、
　浮体は、その上面の傾斜面に排水溝を形成しており、この浮体の上面に、１枚の太陽電池を敷設し固定し、
　太陽電池は、ブロー成形時に浮体に組み込み成形したボルト等の締結具を利用して、浮体に二次接合されている、
　フロート装置。」
（２）文献２
　文献２（特開２００４−２２８２６３号公報）には、図面とともに次の事項が記載されている。
ア　「【０００６】
【発明が解決しようとする課題】
ところで、このような覆蓋パネル装置では、処理槽の水面上に浮遊する覆蓋パネルを、点検時や荒天時等に地上に引き上げることがあるが、上記従来の覆蓋パネル装置では、太陽電池モジュールの下面ほぼ全域を支持するようにフロートを形成していることから、覆蓋パネルの重量が大きくなって、覆蓋パネル装置の引き上げ作業に手間がかかるという問題点を有している。
【０００７】
本発明は、上記従来の覆蓋パネル装置が有する問題点に鑑み、覆蓋パネルの軽量化を図ることによって、その引き上げ作業を省力化することができる覆蓋パネル装置を提供することを目的とする。
【０００８】
【課題を解決するための手段】
上記目的を達成するため、本発明の
覆蓋パネル装置は、フロートの上面に太陽電池モジュールを配設した複数の覆蓋パネルを、水面に浮かべて覆蓋する覆蓋パネル装置において、前記フロートを太陽電池モジュールの外周部を支持する枠状に形成するとともに、該フロート上に太陽電池モジュールを配設して、該太陽電池モジュールにより遮光部を形成するようにした
【０００９】
この覆蓋パネル装置は、覆蓋パネルのフロートを太陽電池モジュールの外周部を支持する枠状に形成するとともに、該フロート上に太陽電池モジュールを配設して、該太陽電池モジュールにより遮光部を形成することから、フロートの体積を削減して覆蓋パネルを軽量化し、覆蓋パネル装置の引き上げ作業を省力化することができる。
【００１０】
この場合において、枠状のフロートの内側の穴部分に、薄膜状の遮水部材を配設するようにすることができる。
【００１１】
これにより、太陽電池モジュールを水から保護することができる。
【００１２】
また、フロートの幅方向の端部に、他のフロートの端部と嵌合することによって連結するフランジ部を形成するとともに、長手方向の端部に、弾性突起部を設けるようにすることができる。
【００１３】
これにより、フロートの幅方向の端部に形成したフランジ部によって、フロートを幅方向に連結して、確実に遮光を行うことができるとともに、長手方向の端部に設けた弾性突起部によって、処理槽の壁部との干渉を防止することができる。
【００１４】
また、太陽電池モジュールをその上面が傾斜するようにフロート上に配設することができる。
【００１５】
これにより、太陽電池モジュールの水切りを良くして端子ボックス等の防水性を向上させるとともに、採光性を高めて発電効率を向上させることができる。
【００１６】
【発明の実施の形態】
以下、本発明の覆蓋パネル装置の実施の形態を図面に基づいて説明する。
【００１７】
図１〜図４に、本発明の覆蓋パネル装置の一実施例を示す。
この覆蓋パネル装置は、フロート１の上面に太陽電池モジュール２を配設した複数の覆蓋パネル３を水面に浮かべることにより、処理槽の水面を覆蓋するようにしている。
そして、この覆蓋パネル装置は、覆蓋パネル３のフロート１を太陽電池モジュール２の外周部を支持する枠状に形成するとともに、該フロート１上に太陽電池モジュール２を配設して、該太陽電池モジュール２により遮光部４を形成するようにしている。
【００１８】
太陽電池モジュール２は、完全防水が施された１対の板状のものが、外周部を支持される状態で前記枠状のフロート１に各々固定されている。
この太陽電池モジュール２は、隣接する覆蓋パネル３間同士で配線５が接続される。
また、太陽電池モジュール２は、その上面が傾斜するようにフロート上に配設されており、これにより、太陽電池モジュールの水切りを良くして端子ボックス２１等の防水性を向上させるとともに、採光性を高めて発電効率を向上させている。
【００１９】
フロート１は、例えば、２つの四角い穴が開いた所定厚みの発泡樹脂板体の周囲をＦＲＰ等の合成樹脂のリブ１ｃにより被覆したものからなり、
なお、このフロートは、１対の四角い穴あきドーナツ状のものを連結することにより形成することもでき、その連結部は所定の補強部材により補強することも可能である。
また、フロート１の枠の一部には、太陽電池モジュール２の端子ボックス２１が防水状態で収納されるケース部１ｄが形成されている。
これ以外にも、フロート１の内側に、合成樹脂フィルム等からなる薄膜状の遮水部材７を配設することにより、太陽電池モジュール２を水から保護することができる。
フロート１の外周部には、合成樹脂によりフランジ部１ａが形成されており、該フランジ部１ａの幅方向の端部には、遮光のためのジョイント部８が嵌合可能な形状に形成されるとともに、長手方向の端部には、処理槽の壁部との干渉を防止するために、ゴムや軟質の合成樹脂からなる弾性突起部９が設けられている。」
イ　文献２の図３は次のものである。
ウ　文献２の図３において、
太陽電池モジュールは、スリットを有する支持部材により外周部を支持している
エ　上記の記載及び図に示された事項から、文献２には、次の発明（以下「文献２発明」という。）が記載されていると認められる。
「フロートの上面に太陽電池モジュールを配設した複数の覆蓋パネルを、水面に浮かべて覆蓋し、フロートを太陽電池モジュールの外周部を支持する枠状に形成するとともに、フロート上に太陽電池モジュールを配設して、太陽電池モジュールにより遮光部を形成するようにした覆蓋パネル装置であって、
　完全防水が施された１対の板状の太陽電池モジュールが、外周部を支持される状態で枠状のフロートに固定され、
　フロートは、２つの四角い穴が開いた所定厚みの発泡樹脂板体の周囲をＦＲＰ等の合成樹脂のリブにより被覆したものからなり、
　太陽電池モジュールは、スリットを有する支持部材により外周部を支持されている、
　覆蓋パネル装置。」
（３）文献３
　文献３（特開２００４−７１９６５号公報）には、図面とともに次の事項が記載されている。
ア　「【００３６】
図１（ａ）は本発明に基づく水上用太陽電池モジュールの平面図であり、図１（ｂ）は正面図である。
水上用太陽電池モジュールの浮体は、一部が水没して浮力を発生させる外装体１０と太陽電池パネル１を取付けるためのパネル取付体１７とから構成される。
【００３７】
太陽電池パネル１はパネル取付体１７に装着されている。パネル取付体１７の上部にはパネル取付体１７の主表面から突出するようにパネル支持部１８が形成されている。太陽電池パネル１はパネル支持部１８とパネル固定材２とによって挟持されている。
【００３８】
上面から見たパネル取付体１７の形状は略四角形であり、本実施の形態においては上面の面積は約１．５ｍ２である。本実施の形態においては、出力が８０〜１００Ｗで重量が７〜８ｋｇの太陽電池パネル１を２枚備えている。太陽電池の発電効率はワット当りのシステム価格に大きく影響してくることから、本実施の形態においては、比較的発電効率の良い単結晶シリコン系または多結晶シリコン系の太陽電池パネルを使用している。効率は低いが薄膜となるアモルファスシリコン系の太陽電池パネルを採用してもよい。シリコン結晶は割れ易いため、太陽電池パネル１は、強化ガラスと透明樹脂とを用いて太陽電池セルを耐候性フィルムでラミネート封止した構造としている。本実施の形態においては、白板強化ガラスに透明なＥＶＡ（エチレン・ビニル・アセテート）樹脂を緩衝材として併用し、耐候性フィルムによってラミネートを施した太陽電池パネル１を採用している。耐候性フィルムには、耐薬品性の高いＰＰＳ（ポリ・フェニレン・サルファイド）フィルムを含む素材を用いた三層構造のフィルムを採用している。この三層フィルムは耐腐食性を有するために、清水のみならず汚水が含まれる水上においても長期間の使用が可能となる。
【００３９】
図２は外装体１０とパネル取付体１７とが結合された状態の上面図である。蓄電池収容部１３の上部に取付けられるべき蓋は取り外した状態である。図２に示すように
パネル支持部１８はパネル取付体１７の外周に沿うように取付けられ、閉じた形状を有しておらず、空気取入口１９が形成されている。太陽電池パネル１の下側とパネル取付体１７の主表面との間には、隙間が設けられており冷却用空間となる。空気取入口１９を通して冷却用空間に、周囲の空気または水が入り込むことによって、太陽電池パネル１の下側が冷却される。
イ　「【００４５】
本実施の形態においての
外装体１０は、熱可塑性シート状の耐候性樹脂板を材料にして、安価な真空成型法で成型されている。パネル取付体１７も同様の材料と方法とで形成される。外装体１０とパネル取付体１７とは超音波熱融着法で複数箇所が接着されて一体化されている。
【００４６】
図４に図２におけるＩＶ−ＩＶ線に関する外装体１０の矢視断面図を、図５に図２におけるＶ−Ｖ線に関する外装体１０の矢視断面図をそれぞれ示す。外装体１０は箱型になって上面が開口している形状を有していて、凹部１４が形成されている外装体１０の断面は双胴型となっている。
外装体１０の内側には、高発泡樹脂１５が充填されている。
２つの蓄電池収容部１３が備えられ、それぞれの底部には外界に貫通する供給孔１６が形成されている。
ウ　上記の記載から、文献３には、次の発明（以下「文献３発明」という。）が記載されていると認められる。
「浮体が、一部が水没して浮力を発生させる外装体と太陽電池パネルを取付けるためのパネル取付体とから構成され、
　太陽電池パネルはパネル取付体に装着され、
　パネル取付体の上部にはパネル取付体の主表面から突出するようにパネル支持部が形成され、
　太陽電池パネルはパネル支持部とパネル固定材とによって挟持され、
　パネル支持部はパネル取付体の外周に沿うように取付けられ、閉じた形状を有しておらず、空気取入口が形成され、
　太陽電池パネルの下側とパネル取付体の主表面との間には、隙間が設けられており冷却用空間となり、
　空気取入口を通して冷却用空間に、周囲の空気または水が入り込むことによって、太陽電池パネルの下側が冷却され、
　外装体は、熱可塑性シート状の耐候性樹脂板を材料にして、真空成型法で成型され、パネル取付体も同様の材料と方法とで形成され、外装体とパネル取付体とは超音波熱融着法で複数箇所が接着されて一体化され、
　外装体の内側には、高発泡樹脂が充填され、
　２つの蓄電池収容部が備えられ、それぞれの底部には外界に貫通する供給孔が形成されている、
　水上用太陽電池モジュール。」
（４）文献４
　文献４（特開２００２−１７３０８３号公報）には、図面とともに次の事項が記載されている。
ア　「【請求項１】水
上に太陽電池を敷設するために用いる太陽電池搭載用フロートであって、
プラスチック発泡体を収容したプラスチック成形品の浮揚部と、当該浮揚部と一体化して浮揚部の上面を覆ったプラスチック成形品の天板で構成され、
上記天板は、その上面に太陽電池モジュールを載置する領域を有し、前記載置領域の相対する一組の側部に、互いに向き合って位置した太陽電池モジュール差込用の断面「『」型突起を備え、前記互いに向き合って位置した断面「『」型突起間に差込んだ太陽電池モジュールの差込方向に対する抜止め突起を備えたことを特徴とする太陽電池搭載用フロート。
【請求項２】
太陽電池モジュールを載置する領域に波板状凹凸を形成した
【請求項３】浮揚部と天板がスチールバンドで結束されていることを特徴とする請求項１又は２記載の太陽電池搭載用フロート。
【請求項４】太陽電池モジュールが、請求項１〜３のいずれかに記載の太陽電池搭載用フロートの断面「『」型突起間に差込まれ、天板上に載置されていることを特徴とする太陽電池装置。」
イ　「【００２０】
【実施例】以下、図１を参照して、本発明に係る実施例を具体的に説明するが、本発明はこれに限定されるものではない。図１（ａ）は斜視図であり、（ｂ）は（ａ）のＡ−Ａ’線に沿う断面図である。幅７００mm、長さ１１００mm、高さ１５０〜３００mmで、容積０．１６m3のＡＳ樹脂発泡体（発泡倍率４０倍）を準備する。このプラスチック発泡体２は、四隅に脚２１が突出しており、脚２１の部分の高さが３００mm、四隅の脚２１間の窪んでいる部分の高さが１５０mmである。主として、脚２１の部分で浮力を受ける構成となっており、これにより水上での安定性が増す。脚２１の先端に錘を内蔵すると、より安定性が増す。上記プラスチック発泡体２を型にして、厚さ４．０mmのＡＡＳ樹脂シートを真空成形し、浮揚部１とする。前記浮揚部１の真空成形は、加熱により軟化したＡＡＳ樹脂シートが、プラスチック発泡体２の脚２１が突出している側の表面形状に沿って密着するように実施する。浮揚部１は、プラスチック発泡体２の表面に密着してこれを覆い、成形時の熱でプラスチック発泡体２の表面に強固に熱溶着する。真空成形した浮揚部１の上面開口周囲には、次に述べる天板との固着用鍔１１を残す。浮揚部１の壁の厚さは、１．５〜３．５mmであった。別途、厚さ３．０mmのＡＡＳ樹脂シートを真空成形して天板３とする。天板３の上面は、太陽電池モジュールの載置領域である。この載置領域の相対する一組の側部に、前記真空成形により太陽電池モジュール差込用の断面「『」型突起５を形成する。断面「『」型突起５は、前記載置領域の相対する一組の側部に互いに向き合って位置する。断面「『」型形状は、成形後も成形品中にそのまま残しておく木型等により成形する。前記互いに向き合って位置した断面「『」型突起５間に、幅８００mm、長さ１２００mmの太陽電池モジュールを差込むことになるので、断面「『」型突起５間の距離は前記幅８００mmより若干大きくしておく。また、前記差込方向に対する抜止め突起６も、前記真空成形により形成する。
【００２１】上記浮揚部１の固着用鍔１１に天板３の下面を接着し、天板３で浮揚部１の上面を覆ってフロートを構成する。前記接着には、メチルエチルケトンを用いる。このようにして、浮力１５０kgのフロートを構成した。
【００２２】互いに向き合って位置した断面「『」型突起５間に、太陽電池モジュール４を差込んで載置し、太陽電池装置とする。太陽電池モジュール４を「『」型突起間５に差込む作業は、太陽電池モジュール４の差込方向後方を若干持ち上げるように傾斜させて実施し、抜止め突起６が差込作業の障害となるのを回避する。天板３を浮揚部１に接着する前であれば、抜止め突起６が太陽電池モジュール４の差込作業の障害とならない位置にくるまで天板３を裏面側に湾曲させて、差込作業を実施することができる。その後、天板３を浮揚部１に接着する。太陽電池モジュール４を互いに向き合って位置した断面「『」型突起５間に差込んで載置した後は、太陽電池モジュール４が天板３の上面に沿って位置ずれしようとしても、その周囲端縁が断面「『」型突起５ならびに抜止め突起６に当接し、位置ずれを規制される。また、太陽電池モジュール４が天板３の上面から離れる方向に位置ずれしようとしても、「『」型突起５の庇状張り出しによってその動きを規制される。
【００２３】上記の実施例において、天板３の上面に真空成形により波板状凹凸７を形成しておくと、太陽電池モジュール４を載置したときその裏面に空洞ができるので、その空洞を通して空気が流通し放熱性がよくなる。波板状凹凸７を複数のブロックに分け（図１に示した構成は２つのブロックに分割）、凸条を１本の連続体にしない構成とすると、ブロックとブロックの間にも空気が流通し、さらに放熱性がよくなる。「『」型突起５も、波板状凹凸７に合わせて分割するとよい。」
ウ　上記の記載から、文献４には、次の発明（以下「文献４発明」という。）が記載されていると認められる。
「水上に太陽電池を敷設するために用いる太陽電池搭載用フロートであって、
　プラスチック発泡体を収容したプラスチック成形品の浮揚部と、浮揚部と一体化して浮揚部の上面を覆ったプラスチック成形品の天板で構成され、
　天板は、その上面に太陽電池モジュールを載置する領域を有し、載置領域の相対する一組の側部に、互いに向き合って位置した太陽電池モジュール差込用の断面「『」型突起を備え、互いに向き合って位置した断面「『」型突起間に差込んだ太陽電池モジュールの差込方向に対する抜止め突起を備え、
　太陽電池モジュールを載置する領域に波板状凹凸を形成した、
太陽電池搭載用フロート。」
（５）文献５
　文献５（特開平１１−３０１５７８号公報）には、図面とともに次の事項が記載されている。
ア　「【０００７】
【実施例】図１に示すこの実施例の
水上浮体装置１０は、両面入射型太陽電池１２，海面１４に浮く海上浮体としてのいかだ１６およびこれら両者の間に反射面を確保するための間隔を保持してこの太陽電池１２をいかだ１６に支持する４本の支柱１８，１８，１８および１８を含む。
イ　「【００１５】さらに、図５に示す他の実施例の水上浮体装置１０は、図１に示す実施例において、
いかだ１６のかわりにドーナツ形状のゴム製浮輪５２を使用して海面１４を反射面とするもの
ウ　上記の記載から、文献５には、次の発明（以下「文献５発明」という。）が記載されていると認められる。
「両面入射型太陽電池、海面に浮く海上浮体としてのドーナツ形状のゴム製浮輪およびこれら両者の間に反射面を確保するための間隔を保持してこの太陽電池をドーナツ形状のゴム製浮輪に支持する４本の支柱を含む、
　水上浮体装置。」
（６）文献６
　文献６（特開昭５７−６２５７２号公報）には、図面とともに次の事項が記載されている。
ア　「第１図，第２図は本発明の第１実施例を示すもので、
筏やポンツーン等浮力体１に架台２を設置し、架台２上に太陽電池ユニット３を多数個配列して取付ける。
　そして上記浮力体１を多数連続させて、発電、灌漑、上水等の利用目的を有するダムの貯水池の湖面４に並べれば太陽電池ユニット３は中空に保持された状態で湖面４上に浮かぶことになる。
　第３図は、本発明の第２実施例を示すもので、太陽電池ユニット３を多数個配列して取付けた枠体５をワイヤー６を介して湖水の岸又は湖水内に立てた支柱７，７′で吊持して、太陽電池ユニット３の中空保持を行なうようにしたものである。
　なお、太陽電池ユニット３の中空保持の方法は上記２つの実施例に限らず、その他種々の手段が考えられる。
　次に作用について説明すると、太陽光発電時には、太陽電池ユニット３は熱せられて温度が高くなり、その結果発電能力が低下する恐れがあるが、湖面近くにあるので程よく冷却され、太陽電池ユニット３はさほど高温にならずにすむ。
　また、更に冷却を必要とする場合はポンプ設備その他で貯水池の水を汲み上げてこれを積極的に冷却に用いることもできる。
　一方、多数の太陽電池ユニット３が湖面４に当たるべき太陽光を遮えぎるので、ダムの貯水池の蒸発量を減少させることができる。
　以上述べたように、本発明によれば、太陽電池をダムの貯水池の湖面上に設置するため土地の有効利用が図れるとともに、水上設置のため太陽電池の冷却効果が得られ、太陽電池の発電能率の低下を抑制できるものである。
　また、ダムが発電目的である場合には、既設の送電設備があるので、これを利用することができ、太陽光発電された電力の送電に新たな送電設備を設ける必要はなくなる。
　さらに、設置された太陽電池が湖面への太陽光を遮えぎるので、蒸発により貯水池の貯水量のかなりの部分が本来の目的に供されることなく失なわれてしまうことを防止できるものである。」（第２頁左上欄第１行〜右上欄第２０行）
イ　文献６の第１図は、次のものである。
ウ　文献６の第１図において、
架台は支柱により構成されている
エ　上記の記載及び図に示された事項から、文献６には、次の発明（以下「文献６発明」という。）が記載されていると認められる。
「筏やポンツーン等浮力体に、支柱により構成される架台を設置し、架台上に太陽電池ユニットを多数個配列して取付けた、
　太陽電池装置。」
（７）文献７
　文献７（実用新案登録第３０６９０２１号公報）には、図面とともに次の事項が記載されている。
ア　「【請求項１】 
防水構造を持つ太陽光発電用モジュールの下部もしくは側面にフロート等を接合もしくは取付け、その発生電力に応じた個数を水面に浮かせ連結具によって連結する水面太陽光発電システム。
イ　「【０００１】
【考案が解決しようとする課題】
　従来、いわゆる太陽光を利用する太陽光発電は架台等に取付ける地上固定が主である。この様な状況下で有効な太陽光発電の電力を得る場合、より多くの太陽光を必要とし、太陽光を遮る障害物の少ないスペースを利用するが、地上においては小規模な太陽光発電スペースは確保出来るものの、大規模なスペースは難しくなって来ている。
【０００２】
【課題を解決するための手段】
　上記問題を解決する為に、防水構造を持つ太陽光発電用モジュールの下部もしくは側面にフロート等を接合もしくは取付け、その発生電力に応じた個数を水面に浮かせ連結具によって連結し、水面に浮上させ自然条件等で大きく移動しない様に岸・湖岸等に係留し、水位の変動や水流、波動に対応する為、係留具の長さ等の調整が行える係留装置を用い水面での太陽光発電を行う。
【０００３】
【考案の効果】
　太陽光発電の為のかなり広大な面積を容易に確保でき、発電用ダム湖であれば近くに水力発電所が既に存在するので、比較的容易に送電線に連結することが出来る。水面場に設置するので、太陽電池の温度上昇を抑えることができ、電池の効率の低下を小さくすることができる。」
ウ　文献７の図１、５ないし７は、次のものである。
【図１】
エ　文献７の図１、５ないし７において、
フロート架台Ａは、２本の円柱状の部材を断面四角の２本の部材及び１本の傾斜部材で連結した枠状のものである
オ　上記の記載から、文献７には、次の発明（以下「文献７発明」という。）が記載されていると認められる。
「防水構造を持つ太陽光発電用モジュールの下部に、２本の円柱状の部材を断面四角の２本の部材及び１本の傾斜部材で連結した枠状のフロート架台を接合もしくは取付け、その発生電力に応じた個数を水面に浮かせ連結具によって連結する、
　水面太陽光発電システム。」
（８）文献８
　文献８（特開２００２−２８１７７３号公報）には、図面とともに次の事項が記載されている。
ア　「【００１１】
【発明の実施の形態】本発明の
浮遊式太陽光発電装置
（第１の実施形態）図１は、本発明の第１の実施の形態に係る浮遊式太陽光発電装置の全体構成図であって、所定の発電容量を有する方形平面状の
太陽光発電パネル１と、太陽光発電パネル１を水面より高い位置に保持したまま水面上に浮遊させる筏部２１とを備えている。
【００１２】さらに、
筏部２１は、上下に連通させた枠状に形成された本体３１と、この本体３１内に固定され、太陽光発電パネル１を本体３１との間に隙間が形成されるように支持するパネル支持部４１とを備えており、本体３１およびパネル支持部４１は、比重０．８ｇ／ｃｍ3以下の長繊維強化発泡熱硬化性樹脂で形成された板部材６１により構成されている。
【００１３】なお、本体３１とパネル支持部４１を形成する樹脂成形品は、長繊維強化発泡熱硬化性樹脂の回りを非発泡の長繊維強化硬化性樹脂層で覆う構造にすることが好ましく、このように非発泡の長繊維強化硬化性樹脂でスキン層を形成することにより、筏部２１の部材内への水の浸入を確実に防止できるので、常に一定の浮力を保つことができる。
【００１４】
本体３１は、板部材で長方形の枠に形成されており、
【００１５】また、パネル支持部４１は、複数の板部材６１で形成されており、本体３１の相対向する側壁５１に掛け渡すように、板部材６１の平面部を水面に対し直交させた状態で板部材６１の両端をそれぞれの側壁５１内面に接着剤などを用いて固定している。
【００１６】さらに、太陽光発電パネル１のパネル面を水面と平行させた状態に支持させるために、パネル支持部４１の板部材６１は、図１に示すように、板部材６１の上部の一部を本体３１の上面から同一高さで突出させた状態で固定されており、本体３１の上面から突出させた板部材６１の上端部に太陽光発電パネル１を支持させるようにしている。したがって、パネル支持部４１に太陽光発電パネル１を支持させたときに、太陽光発電パネル１の下面と本体３１の上面との間には隙間が形成される。
【００１７】パネル支持部４１の板部材６１は、本体３１に合計９枚固定されており、３枚の板部材６１によって一枚の太陽光発電パネル１を支持するようにしている。
【００１８】また、
パネル支持部４１の各板部材６１には、太陽光発電パネル１を嵌め込んで固定するための凹部６０が形成されており、この凹部６０に太陽光発電パネル１を嵌め込んで接着材などにより固定する
【００１９】また、本体３１の側壁５１周囲には防舷材５０を取り付けるようにしてもよく、本体３１に防舷材５０を取り付けることにより、浮遊式太陽光発電装置をメンテナンスする際に使用する船体の船舷が本体３１に衝突しても、本体３１の損傷を防止することができる。
【００２０】以上のように、第１の実施形態によれば、浮遊式太陽光発電装置を水面に浮遊する筏部２１と、この筏部２１に水面より高い位置になるように支持された３枚の太陽光発電パネル１とを備える構成としたから、河川や海、湖等の交通や建造物の邪魔にならない未使用の場所に太陽光発電装置を設置するだけで高出力の発電が行えながら、太陽光による発電を行うので地球環境にやさしい発電を行える。
【００２１】また、本発明の浮遊式太陽光発電装置を河川の水面に設ける場合には、河川の浄化システムの電源として電力をすぐに供給することができる。
【００２２】さらに、第１の実施形態では、筏部２１を、上下に連通する枠状に形成された本体３１と、太陽光発電パネル１を本体３１との間に隙間が形成されるように支持するパネル支持部４１とを備えている構成としたから、大きな波が起きても、太陽光発電パネル１と本体３１との間の隙間および本体３１の枠内に水を逃がすことができるので、筏部２１や太陽光発電パネル１にかかる波の力を弱めることができ、太陽光発電装置の破損を防止できる。」
イ　「【００３１】また、
板部材６２の上端部に太陽光発電パネル１を支持させるにあたっては、
固定金具７０を用いてボルト締めにより固定しており、
ウ　上記の記載から、文献８には、次の発明（以下「文献８発明」という。）が記載されていると認められる。
「太陽光発電パネルと、太陽光発電パネルを水面より高い位置に保持したまま水面上に浮遊させる筏部とを備え、
　筏部は、非発泡の長繊維強化硬化性樹脂層で覆われた長繊維強化発泡熱硬化性樹脂で形成された板部材により構成されている、上下に連通させた枠状に形成された本体と、この本体内に固定され、太陽光発電パネルを本体との間に隙間が形成されるように支持するパネル支持部とを備え、
　本体は、板部材で長方形の枠に形成され、
　本体の上面から突出させた板部材の上端部に太陽光発電パネルを支持し、
　パネル支持部の各板部材の凹部に太陽光発電パネルを嵌め込んで接着材などにより固定するか、又は、太陽光発電パネルを固定金具を用いてボルト締めにより固定する、
　浮遊式太陽光発電装置。」
（９）文献９
　文献９（特開２００５−２１７１８１号公報）には、図面とともに次の事項が記載されている。
ア　「【００３９】
　図１は本発明の太陽光発電装置の正面図、図２は側面図、図３は背面図である。また、図４は図１に示す断面線Ａ−Ａ’による断面図である。図５は図２に示す断面線Ｂ−Ｂ’による断面図である。
【００４０】
　これらの図に示す太陽光発電装置については、接着材を用いて容器に太陽電池パネルを実装する場合である。
【００４１】
　
この太陽光発電装置によれば、１は容器であり、２は太陽電池パネルである。そして、この太陽電池パネル２を、内部に流体を密閉した容器１を、接着材３を介して密着させる。また、４はキャップである。
【００４２】
　このように容器１の外面に太陽電池パネル２を実装し、その容器１の内部に流体を密閉し、そして、太陽電池パネル２に対し、容器１の構成材から成る部材を通して冷却するように成している。
【００４３】
　そして、本発明によれば、外面に太陽電池パネル２を実装した空タンク（容器１）に対し、その内部に流体を含有し、太陽電池パネル２を太陽光に対し所望の方角に設置し得るように成型したタンク（容器１）と成している。さらに
この流体により上記タンクの外面を成す部材を通して冷却するように構成している。
【００４４】
　
前記容器１の構成材として、たとえば合成樹脂材
がある。
【００４５】
　この合成樹脂材として、たとえば塩化ビニール、ポリスチレン、ポリプロピレン、アクリル、ＡＢＳ、ＰＥＴ（ポリエチレンテレフタレート）、ＦＲＰ（強化プラスチック）ポリカーボネート、ＥＶＡ（エチレンビニルアセテートのコポリマーEthylene Vinylacetate Copolymer）などがある。」
イ　「【００８２】
　（例２）
　本例においては、図６〜図１０に示す太陽光発電装置のように、
加圧手段（たとえば取付け器具）を用いて、容器１に太陽電池パネル２を実装する
【００８３】
　図６は本発明の太陽光発電装置の正面図、図７は側面図、図８は背面図である。また、図９は図６に示す断面線Ａ−Ａ’による断面図である。図１０は図７に示す断面線Ｂ−Ｂ’による断面図である。」
ウ　上記の記載から、文献９には、次の発明（以下「文献９発明」という。）が記載されていると認められる。
「太陽電池パネルを、キャップを備えた、内部に流体を密閉した容器に、接着材を介して密着させて実装するか、又は、取付け器具を用いて実装し、
　容器の構成材は、合成樹脂材であり、
　太陽電池パネルを、流体により、タンクの外面を成す部材を通して冷却するように構成している、
　太陽光発電装置。」
（１０）文献１０
　文献１０（米国特許出願公開第２００７／０２３４９４５号明細書）には、図面とともに次の事項が記載されている。
ア　「[0002] The present invention relates to a floatation device with a photovoltaic panel having photovoltaic modules. The device is able to float on water and generate electricity.」
（当審仮訳：「［０００２］本発明は、光起電モジュールを有する光起電パネルを有する浮遊装置に関する。装置は水上で浮遊して発電することができる。」）
イ　「[0012] FIG. 1 is a perspective view of one embodiment of the photovoltaic floatation device.
[0013] FIG. 2 is an end view of a cross section of the embodiment shown in FIG. 1.」
（当審仮訳：「［００１２］図１は、光起電装置の一実施形態の斜視図である。
［００１３］図２は、図１に示す実施形態の断面の断面図である。」）
ウ　「[0016] FIG. 5 illustrates the interface of the PV laminate panel and the floatation element.」
（当審仮訳：「［００１６］図５は、ＰＶラミネートパネルと浮遊要素の界面を示す。」）
エ　「[0018] FIG. 7 illustrates a carabiner connector locking a pair of grommet tabs on adjacent floatation elements.」
（当審仮訳：「［００１８］図７は、隣接する浮遊要素上の一対のグロメットタブを固定するカラビナコネクタを示す。」）
オ　「[0022] FIG. 11 is a perspective view of another embodiment with two stabilizing pontoons attached to the side of a main body pontoon.
[0023] FIG. 12 is a top view of two of the devices depicted in FIG. 11 connected with a walkway placed over the connection area.」
（当審仮訳：「［００２２］図１１は、本体フロートの側面に取り付けられた２つの安定化フロートを有する別の実施形態の斜視図である。
［００２３］図１２は、図１１に示した２つの装置が接続領域に配置された歩道によって接続された状態を示す上面図である。」）
カ　「[0030] Referring to FIG. 1, one embodiment of the present invention provides 
a photovoltaic floatation device 10, which comprises a single floatation element 12 with a photovoltaic (PV) laminate panel 14 attached thereon. The floatation element 12 is inflatable and can be comprised for example of material such as PVC, TPO or Hypalon.
[0031] Referring to FIGS. 1 and 2, 
the floatation element 12 comprises a skin 16 forming a cavity 17 therein, which when inflated forms a generally rectangular shape with two ends 18 a and 18 b, two sides 20a and 20b, a top 22 and a bottom 24.
（当審仮訳：「［００３０］図１を参照すると、本発明の一実施形態は、
その上に取り付けられた光起電（ＰＶ）ラミネートパネル１４を有する単一浮遊要素１２を備える光起電浮遊装置１０を提供する。浮遊要素は膨張可能であり、例えばＰＶＣ、ＴＰＯ又はＨｙｐａｌｏｎのような材料で構成することができる。
［００３１］図１及び図２に示すように、
浮遊要素１２は、内部にキャビティ１７を有するスキン１６を有し、膨張したときに２つの端面１８ａ及び１８ｂ、２つの側面２０ａ及び２０ｂ、上部２２及び下部２４を有する略直方体形状である。
キ　「[0034] Referring to FIGS. 2 and 3, 
the floatation element 12 comprises a plurality of internal support walls 40 attached to the top 22 and bottom 24 of the floatation element 12, for example by heat welding.
[0035] However, the internal support walls 40 do not extend entirely to ends 18a and 18b. Therefore, the air space 41 between the internal support walls 40 remains in fluid communication at all times. The height of the internal support walls 40 determines the slope of the top 22 of the floatation device 10 when the device is fully inflated.」
（当審仮訳：「［００３４］図２及び図３を参照すると、
浮遊要素１２は、浮遊要素の上部２２及び下部２４に、例えば熱融着によって取り付けられた、複数の内部支持壁４０を含む。
［００３５］」しかしながら、内部支持壁４０は、端面１８ａ及び１８ｂまでは完全に延びない。したがって、エアスペース４１は、あらゆる時において流体連通している状態である。内部支持壁４０の高さが、装置が完全に膨張された時の浮遊装置１０の上部の傾きを決定する。）
ク　「[0040] The PV laminate panel 14 is removably attached to the floatation element 12 with fasteners such as zippers, buttons, snaps, kedering, hook and loop fasteners, laces, twist-locks, magnets or any other fasteners capable of securely and removably attaching the PV laminate panel 14 to the floatation element 12.」
（当審仮訳：［００４０］ＰＶラミネートパネル１４は、例えばジッパー、ボタン、スナップ、ケダーリング、フック及びループファスナ、ひも、磁石又はＰＶラミネートパネル１４をしっかりと取り外し可能に取り付けることができる任意の他の締結具などの留め具を用いて浮遊要素に着脱可能に取り付けられている。」）
ケ　「[0050] Referring to FIGS. 11 and 12, in another embodiment of the present invention, the floatation element 12 of the photovoltaic floatation device 10 comprises three separate floatation objects 120, 122 a and 122 b. These floatation objects 120, 122a and 122b comprise a main body pontoon 120 and one or more stabilizing pontoons 122, which are attached to the main body pontoon 120. 
[0051] Referring to FIG. 12, the one or more stabilizing pontoons 122 are removably attached to the main body pontoon 120. The stabilizing pontoons 122 a and 122 b can be removably attached to the main body pontoon 120 with carabiner connectors 29 that interlock with grommet tabs 28, which are attached along the sides 124 a and 124 b of the main body pontoon 120 and the side of the stabilizing pontoon 122. Alternatively, the stabilizing pontoons 122 can be removably attached to the main body pontoon 120 with zippers, kedering, snaps, laces, hook and loop fasteners, magnets or any other type of re-useable fastener that is capable of withstanding the pulling force on the pontoon elements 122 from the current in the body of water. Alternatively, the stabilizing pontoons 122 are permanently connected to the main body pontoon 120 with for example glue or a heat weld.
[0052] Both the main body pontoon 120 and the stabilizing pontoons 122 are inflatable. Alternatively, a foam insert 102, or other suitable floatable material, is placed into the main body pontoon 120 and/or the stabilizing pontoons 122.
[0053] Furthermore, a walkway 130 can be laid along the area where multiple devices are connected. The walkway 130 can be attached with straps or alternatively may just be laid on top of the devices without any attachment mechanism. The walkway 130 comprises a plastic material, for example PVC. The walkway 130 allows a user to walk along the sides of the connected photovoltaic floatation devices 10. This allows for easy access to the devices 10 when adjustments need to be made or the floatation element 12 needs to be re-inflated or inserted with a new foam insert. For example, a user can use the walkway 130 to access the tops of the photovoltaic floatation devices 10 in order to remove a defective PV laminate panel 14 and replace said panel 14 with a new working panel 14.」
（当審仮訳：「［００５０］図１１及び図１２を参照すると、本発明の別の実施形態では、光起電浮遊装置１０の浮遊要素１２は、３つの別々の浮遊物体１２０、１２２ａ及び１２２ｂを備える。これら浮遊物体１２０、１２２ａ及び１２２ｂは、本体フロート１２０と、本体フロート１２０に取り付けられた１つ以上の安定化フロート１２２とを備える。
［００５１］図１２を参照すると、１つ以上の安定化フロート１２２は、本体フロート１２０に取り外し可能に取り付けられる。安定化フロート１２２ａ及び１２２ｂは、グロメットタブ２６と連動するカラビナコネクタ２９を用いて本体フロート１２０に取り外し可能に取り付けることができる。グロメットタブ２８は、本体フロート１２０の側面１２４ａ及び１２４ｂ、及び安定化フロート１２２の側面に沿って取り付けられる。あるいは、安定化フロート１２２は、ジッパー、ケダーリング、スナップ、ひも、フックロックファスナ、磁石又は水域内の流れからのフロート要素１２２への引っ張り力に耐えることができる任意の他のタイプの再使用可能なファスナとすることができる。あるいは、安定化フロート１２２は、例えば、接着剤又は熱融着によって本体フロート１２０に永久的に接続される。
［００５２］本体フロート１２０と安定化フロート１２２の両方が膨張可能である。あるいは、発泡インサート１０２又は他の適切な浮遊可能な材料が、本体フロート１２０及び／又は安定化フロート１２２内に配置される。
［００５３］さらに、複数の装置が接続される領域に沿って歩道１３０を設置することができる。歩道１３０は、ストラップで取り付けられてもよく、あるいは取り付け機構なしで装置の上に置かれてもよい。歩道１３０は、プラスチック材料、例えばＰＶＣを含む。歩道１３０は、接続された光起電装置１０の側面に沿ってユーザが歩くことを可能にする。これにより、調整を行ったり、浮遊要素１２を再膨張させたり、新しい発泡体をインサートしたりするときにアクセスが容易になる。例えば、ユーザは故障したＰＶラミネートパネル１４を除去し、当該パネル１４を新しい動作可能なパネル１４と交換するために、歩道１３００を使用して光起電装置１０の上部にアクセスすることができる。」）
コ　上記の記載から、文献１０には、次の発明（以下「文献１０発明」という。）が記載されていると認められる。
「その上に取り付けられた光起電ラミネートパネルを有する単一浮遊要素を備えた光起電浮遊装置であって、
　浮遊要素は、膨張可能であり、ＰＶＣ、ＴＰＯ又はＨｙｐａｌｏｎのような材料で構成され、内部にキャビティを有するスキンを有し、膨張したときに２つの端面、２つの側面、上部及び下部を有する略直方体形状であり、
　浮遊要素の上部及び下部に取り付けられた、複数の内部支持壁を含む、
　光起電浮遊装置。」
（１１）文献１１
　文献１１（国際特許出願公開第２０１０／０６４１０５号）には、図面とともに次の事項が記載されている。
ア　「- figures 2 and 3 are perspective views of modular floating blocks of a floating structure of the system according to one embodiment of the invention,
- figure 4 is a schematised side view of a supporting structure of photovoltaic panels and its connections with a strengthening structure of the system according to one embodiment of the invention,」（明細書第２頁第２２行〜第３頁第２行）
（当審仮訳：「図２及び図３は、本発明の一実施形態によるシステムのフローティング構造のモジュラーフローティングブロックの斜視図であり、
図４は、本発明の一実施形態による、光起電パネルの支持構造と、システムの強化構造との接続を示す模式的な側面図であり、」）
イ　「- figure 6 is a top view of a strengthening beam of the photovoltaic system according to one embodiment,
- figure 7 is a cross-sectional view according to the VII-VII line in figure 6,
- figure 8 is a top view of a detail of a strengthening beam of the photovoltaic system according to a further embodiment,
- figure 9 is a cross-sectional view according to the IX-IX line in figure 8,」（明細書第３頁第５行〜第１２行）
（当審仮訳：「図６は、一実施形態による光起電システムの強化梁の上面図であり、
図７は、図６のＶＩＩ−ＶＩＩ線に沿った断面図であり、
図８は、さらなる実施形態による光起電システムの強化梁の詳細の上面図であり、
図９は、図８のＩＸ−ＩＸ線に沿った断面図であり、」）
ウ　「
System 1 comprises
floating modular blocks 3
System 1 also includes
strengthening beams 6. Each one of the strengthening beams 6 is movably connected to at least two floating blocks 3 so as to allow the connection of additional structures to the floating structure 2.
（当審仮訳：「
システム１は、
フローティングモジュラーブロック３
を備えている。
システム１は、
強化梁６
も含む。それぞれ１つの強化梁６が、フローティング構造２への追加の構造の連結を可能とするように、少なくとも２つのフローティングブロック３に着脱可能に連結されている。
エ　「In accordance with one embodiment (figures 2 and 3), 
the modular floating blocks 3 include hollow bodies of a basically parallelepiped shape with a lower side 20, an upper side 21 and four lateral sides 22 which form four lateral angles 23. In one of the lateral sides 22 a closable opening 24 may be envisaged to allow a partial filling of the internal space of the floating block 3 in order to regulate the upward thrust of the floating block 3 itself.
Advantageously, in all the floating blocks 3, the through openings 27 are arranged in correspondence to a hypothetical intersection line of the two adjacent lateral sides 22. This allows a modular composition at choice of different floating blocks. 
The floating blocks 3 are
obtained by
blowing
In accordance with one embodiment (figures 6, 7, 8), the strengthening beams 6 include metal profiles, for instance galvanised steel, preferably but not necessarily with an open cross section, for instance u-shaped, with at least two connection fins 29 protruding from this metal profile and that mark openings 30 that can be vertically overlaid on the respective through openings 27 of the connection interfaces 25 of at least two floating blocks 3.」（明細書第６頁第２０行〜第７頁第１９行）
（当審仮訳：「一実施形態（図２及び図３）によれば、
モジュラーフローティングブロック３は、下側２０、上側２１及び４つの側方角２３を形成する４つの側面２２を有する基本的に平行六面体形状の中空体を含む。４つの側面の１つには閉鎖可能な開口部２４が設けられ、フローティングブロック３の内部空間の部分的な充填を可能にして、フローティングブロック３自体の上方への推力の調整が可能になっている。
有利には、すべてのフローティングブロック３において、貫通開口２７は、２つの隣接する側面２２の仮想交差線に対応して配置される。これにより、異なるフローティングブロックの選択においてモジュラー構成が可能となる。
フローティングブロック２３は、
ブローすることによって得られる。
一実施形態（図６、７、８）によれば、強化梁６は、例えば亜鉛メッキ鋼からなる金属枠（Ｕ字等の開いた断面を有することが好ましいが必須ではない）を含む。この枠には、この枠から突出する少なくとも２つの接続フィン２９が設けられている。また、接続フィン２９は、少なくとも２つのフローティングブロック３の接続インターフェース２５の貫通開口２７に垂直に重ね合わせることができる開口部３０が設けられている。」）
オ　「The structure thus devised may undergo slight deformations as a result of wave movement or local stress due to the walking of operators involved in inspections or maintenance interventions of system 1, without transmitting any deformation or stress to the photovoltaic panel 7.
Regarding this, it is also pointed out that the grating shape floating structure 3 has gangways 36 between the areas covered by photovoltaic panels 7.
Returning to the supporting structure 8 for the photovoltaic panels 7, in accordance with one embodiment, the supporting frame 9 comprises two long opposite sides and two short opposite sides and on each of the short opposite sides there are two annular seats 37 (preferably basically vertical cylindrical tubes) inserted vertically on the respective bolts or connecting column bolts 38 fixed to the strengthening beams 6 on which the supporting frame 9 is laid.
（当審仮訳：「このように考案された構造は、システム１の検査又は保守介入に関与するオペレータの歩行による波動又は局所的な応力の結果として、わずかな変形を受ける可能性があるが、光起電パネル７にいかなる変形又は応力も伝達することはない。
このことに関して、格子状のフローティング構造３は、光起電パネル７によって覆われた領域の間に通路３６を有することも指摘される。
光起電パネル７の支持構造８に戻ると、一実施形態によれば、支持フレーム９は、２つの対向する長側面と２つの対向する短側面を含み、対向する短側面のそれぞれには２つの環状座部３７（好ましくは垂直円筒チューブ）が設けられており、これらは、支持フレーム９が敷設された補強梁６に固定された各ボルト又は連結柱ボルト３８に垂直に挿入されている。
カ　上記の記載から、文献１１には、次の発明（以下「文献１１発明」という。）が記載されていると認められる。
「光起電パネル、モジュラーフローティングブロック、及び、光起電パネルの支持構造を備えたシステムであって、
　モジュラーフローティングブロックは、ブローすることによって得られ、下側、上側及び４つの側方角を形成する４つの側面を有する基本的に平行六面体形状の中空体を含み、４つの側面の１つには閉鎖可能な開口部が設けられ、フローティングブロックの内部空間の部分的な充填を可能にして、フローティングブロック自体の上方への推力の調整が可能になっており、
　強化梁が、少なくとも２つのフローティングブロック３に着脱可能に連結され、
　光起電パネルの支持構造の支持フレームは、２つの対向する長側面と２つの対向する短側面を含み、対向する短側面のそれぞれには２つの環状座部が設けられており、これらは、支持フレームが敷設された補強梁に固定された各ボルト又は連結柱ボルトに垂直に挿入されている、
システム。」
（１２）周知技術１
ア　文献１２
　文献１２（特開平７−１３２５５２号公報）には、図面とともに次の事項が記載されている。
「【００１２】図１は本発明により作製される
樹脂製パネルの一例を示しており、パネル１１には空気の流通、見通しを可能とした紋様孔１２が形成されている。
【００１３】図２は図１のパネルの概略的な製造工程図である。
【００１４】本発明においては、先ず前記熱可塑性樹脂からなる中空状の円形あるいは角型等のパリソン２１、即ち溶融樹脂を大気中に押出し（図２（ａ））、該パリソン２１を金型２２ａ，２２ｂで閉じる（図２（ｂ））。この時、両金型壁面には所望の形状の彫刻が施されており、金型を閉じることにより、パリソン２１の周側縁２３が一体に溶着され、さらには、部分的にパリソン２１の対向面同志が溶着されて溶着凹部２４が形成される。
【００１５】続いて、パリソン２１に加圧ガスを吹き込み、金型壁面へ押し付けることにより、金型キャビティの形状が転写される様に
ブロー成形する
【００１６】本発明において、上記パリソンは、加圧ガスをブローするまで溶融状態を保持し更に自重により大きく変形することもなく、かつブロー時にはブロー圧で膨張・変化し、金型に密着する様に変形する必要がある。」
イ　文献１３
　文献１３（特開昭５０−３０９５９号公報）には、図面とともに次の事項が記載されている。
「２　特許請求の範囲
ダイスより押し出されたパリソンを半割のキャビティ金型の間に垂下させて成形する中空成形法において、キャビティ金型本体に摺動自在に嵌装した可動枠にてパリソンの両端を型締して予備吹膨し、ついで該膨満したパリソンをキャビティ金型本体で型締して濃縮空気を封入した中空体を成形することを特徴とする
合成樹脂中空成形法
３　発明の詳細な説明
この発明は熱可塑性樹脂による中空成形法に関する。
熱可塑性樹脂による中空成形は、従来樹脂を加熱溶融し、成形機でパイプ状に押し出したパリソンを半割に開いた金型の間に垂下させ、金型を閉じた後ダイス中央より空気を吹き込み、樹脂を金型に密着させる成形法が行われているが、完全な
中空成形品例えば、ウキ、リング、球体等の緩衝具、水中具等
本発明は上述の欠点を除去した中空成形法に係るもので、その要旨は上述の特許請求範囲に記載した装置方法に係るものである。」（第１頁左下欄第４行〜右下欄第９行）
ウ　文献１４
　文献１４（特開２００２−６５０１１号公報）には、図面とともに次の事項が記載されている。
「【００１４】
【発明の実施の形態】以下、本発明の実施の形態を図面に基づいて説明する。図１に４条植え用の乗用型田植機が示され、１は機体、２は操向前輪、３は駆動後輪、４は運転部、５はエンジン、６はベルト伝動機構、７はフロントミッション、８はリヤーミッション、９はＰＴＯ伝動軸、１０は四連リンク型の昇降機構、Ａは植付部である。
【００１５】植付部Ａは、苗載台１１、フィードケース１２、植付ケース１３、フロート１６, １７、及び植付機構ａから構成されており、植付機構ａは、回転ケース１４、一対の植付アーム１５，１５等から構成されている。フロート１６，１７は、左右一対の整地フロート１６，１６と、左右中央のセンサーフロート１７とで構成されている。次に、整地フロート１６について説明する。
【００１７】
整地フロート１６をブロー成形する
エ　文献１５
　文献１５（特開昭５８−１２４６２２号公報）には、図面とともに次の事項が記載されている。
「２　特許請求の範囲
　本体の中心軸方向に貫通孔を設け、その両側にそれぞれ独立した気密中空部を形成した合成樹脂球体の中空成型法において、型取りした球体キャビティ及びその半割部分にそれぞれ挿通孔を備えた本体金型と、直立状のコアを植設したコア金型と、前記挿通孔に出入自在に挿通する針状エアノズルとよりなる金型装置を設け、相対する本体金型の半割体央にコア金型を設置し、直立したコアとこれを挟着する半割金型の中間にそれぞれ２本の筒状パリソンを同径のダイスより垂下させ、本体金型の型締の前記半割金型の挿通孔を介して針状のエアノズルをキャビティ内のそれぞれのパリソンに刺通してエア吹膨させた後抜去して成型した中空球体の内部に、それぞれ同形の独立した２つの気密中空部が形成され、かつ前記コア金型のコア部分が球体の中心軸方向に貫通孔として形成されるように成型することを特徴とする球体の中空成型法
３　発明の詳細な説明
この発明は
合成樹脂球体主として漁網用浮子の新規な中空成型法
オ　周知技術１
　上記文献１２ないし１５に記載されている次の技術は、周知技術（以下「周知技術１」という。）である。
「気密な単一のプラスチック製ケーシングであるフロートを含め、中央に貫通孔を有する樹脂成形体を、ブロー成形により成形する技術。」
　なお、中空体のフローティングブロックをブローすることによって得ることは、文献１１にも記載されている。
（１３）周知技術２
ア　文献１６
　文献１６（特開２００１−２５４４９４号公報）には、図面とともに次の事項が記載されている。
（ア）「【００１９】図１と図２に示すように、上記
第１の取付け部材３はシリコンゴム、クロロプレーンゴム、ＥＰＤＭなどの弾性材料によって形成された本体部１１を有する。この本体部１１の幅方向両側には一対の第１の挟持片１２が形成され、この第１の挟持片１２と対向する幅方向両側には一対の第２の挟持片１３が形成されている。第１の挟持片１２と第２の挟持片１３との間にはそれぞれ挿入溝１４が形成されている。
（イ）「【００３６】
太陽電池ユニット１の並設された太陽電池パネル２の周辺部に設けられた第２の取付け部材４は、図３と図４に示すように上記第１の取付け部材３と同様、シリコンゴム、クロロプレーンゴム、ＥＰＤＭなどの弾性材料によって形成された本体部３５を有する。この本体部３５には、幅方向一側だけに第１の挟持片１２ａと第２の挟持片１３ａとによって挿入溝１４ａが形成されている。
【００３７】そして、第２の取付け部材４には、並設された太陽電池パネル２の周囲に位置する周辺部が下面に接合された鋼板２９とともにその挿入溝１４ａに挿入され、第１、第２の挟持片１２ａ，１３ａによって液密に保持されている。
【００３８】なお、第２の取付け部材４の両端部は４５度の角度の斜面になっていて、太陽電池ユニット１の交差する２つの側辺部に設けられた一対の第２の取付け部材４は両端部の斜面を接合させている。
【００３９】十字状をなした第１の取付け部材３の４つの端面は平坦面に形成されていて、この平坦面は第２の取付け部材４の中途部に接合している。
【００４０】一対の第２の取付け部材４の接合面及び第１の取付け部材３と第２の取付け部材４との接合面は接着剤によって接着封止することで液密状態を確保してもよいが、たとえば図示しないカバーで覆うなどして液密状態が確保できる場合には接着しなくてもよい。また、接着する場合でも、接着状態を剥離できる接着剤によって接着すれば、太陽電池ユニット１の分解が容易となる。
【００４１】このような構成の太陽電池ユニット１によれば、４枚の太陽電池パネル２を第１の取付け部材３と第２の取付け部材４とによって保持するようにした。つまり、太陽電池パネル２は、周辺部を各取付け部材３，４に形成された挿入溝１４，１４ａに挿入し、第１の挟持片１２，１２ａと第２の挟持片１３，１３ａとで挟持固定するようにした。
【００４２】第２の挟持片１３，１３ａは、固定溝１５に固定部材１７を圧入することで弾性的に変形し、挿入溝１４，１４ａに挿入された太陽電池パネル２の周辺部の上面に圧接する。
【００４３】そのため、太陽電池パネル２の周辺部は、全長にわたって第１の挟持片１２，１２ａと、第２の挟持片３，１３ａとによって所定の圧力で挟持されるから、液密状態が確実となって雨水などが太陽電池パネル２の上面側から下面側に回り込むのを防止することができる。
【００４４】つまり、太陽電池パネル２は、周辺部に単にパッキングを装着して保持するのでなく、各取付け部材３、４の第１の挟持片１２，１２ａと第２の挟持片１３，１３ａとによって所定の圧力で挟持することで、これら挟持片の先端部を太陽電池パネル２の上面と下面とに圧接させるため、液密状態を確実に確保することができる。
【００４５】各取付け部材３、４に対する太陽電池パネル２の取付けは、第２の挟持片１３，１３ａを上方へ弾性的に変形させて挿入溝１４，１４ａを開き、その挿入溝１４，１４ａに太陽電池パネル２の周辺部を挿入したのち、固定溝１５に固定部材１７を圧入するだけであるから、工具などを用いることなく容易に、しかも迅速に行うことができる。つまり、太陽電池ユニット１を建物の屋根や壁面などに設置する際、その施工を容易かつ迅速に行うことができる。
【００４６】上記第１の取付け部材３と第２の取付け部材４は弾性材料によって形成されている。そのため、太陽電池ユニット１の太陽電池パネル２に風圧や飛散物などによって衝撃が加わった場合には、その衝撃を第１、第２の取付け部材３、４が弾性的に変形して吸収するから、太陽電池パネル２が風圧などの衝撃によって損傷するのを防止できる。
【００４７】上記第１の実施の形態では４枚の太陽電池パネル２を行列状に並設する場合について説明したが、
複数枚の太陽電池パネル２を一列に並設する場合もあり、そのような場合には第１の取付け部材３は十字状でなく、直線状にすればよい。
【００４８】一方、第１の実施の形態では複数枚の太陽電池パネル２を並設した太陽電池ユニット１について説明したが、図７と図８に示す第２の実施の形態のように１つの太陽電池パネル２を太陽電池モジュール４１として建物の屋根や壁面などの固定部５に取付ける場合にもこの発明を適用することができる。」
イ　文献１７
　文献１７（特開平９−７２０５７号公報）には、図面とともに次の事項が記載されている。
（ア）「【００１４】
【発明の実施の形態】以下、図面に従って、本発明の実施の形態について説明する。図１は本発明支持部材を構成するガスケット１、図２はガスケット１を固定するための固定具２である。
ガスケット１は、全体がゴムのような弾性材からなる棒状の長尺体であり、
（イ）「【００１８】
ガスケット１を固定具２に連結した後、集熱ガラス１４の端部をガスケット１の挟持部３において開口面５から嵌合溝６内に水平に押し込めばよく、ガラス１４の端部は嵌合溝６内に嵌め込まれ、かつ、上下の挟持片７でガラス１４の上下面を密に挟持して固定可能となる。
ウ　文献１８
　文献１８（特開２００２−２４２３５５号公報）には、図面とともに次の事項が記載されている。
「【０００７】電波吸収板１，１の端縁部には、その全周にわたり取り囲む配置でゴム製の支持枠体３が前記端縁部を挟持する状態に取り付けられている。支持枠体３は、並設配置の２つの電波吸収板１，１の端縁部の全周に取り付けることのできる「日」字形の平面形状を有している。」
エ　文献１９
　文献１９（特開平１１−６２１４３号公報）には、図面とともに次の事項が記載されている。
（ア）「【００２４】
この取付具１は、その全体が弾性ゴムによって形成されており、
【００２５】架台部２は、屋根材上に密着する平板状の足部２１と、この足部２１の中央部から上方に延設された内部が空洞の胴部２２とで形成されており、胴部２２には、その左右両側に補強部材２３，２３（破線により示す）が埋設されている。また、足部２１の側面には、長手方向の適当箇所に、出力ケーブル４６を通すための貫通穴２４（図４参照）が形成されている。また、足部２１の下面には、防振及び防水用のゴムシート２５が貼着されている。
【００２６】
保持体部３は、胴部２２よりも左右に張り出した形状となっており、その両側面に、太陽電池組立体４０の側縁部４０ａを挿入保持する横向きに開口した溝部３１，３１が形成されている。
（イ）「００３５】次に、このようにして取り付け固定された
第１列目の取付具１の一方（軒先Ｒ１とは反対側）の溝部３１に、軒先Ｒ１側の第１列目に配置する太陽電池組立体４０の一方の側縁部４０ａを挿入し
【００３６】この後、
第１列目の太陽電池組立体４０の他方の側縁部４０ａに第２列目の取付具１の溝部３１を挿入し、
【００３７】次に、このようにして取り付け固定された第２列目の取付具１の他方（軒先Ｒ１とは反対側）の溝部３１に、第２列目に配置する太陽電池組立体４０の一方の側縁部４０ａを挿入し、第２列目の太陽電池組立体４０の一方の出力ケーブル４６を必要に応じて第２列目の取付具１の保持溝部３５に挿入保持した後、取り付けを終了している第１列目の太陽電池組立体４０の他方の出力ケーブル４６と接続する。」
オ　文献２０
　文献２０（特開２０１０−９０７０１号公報）には、図面とともに次の事項が記載されている。
「【００３９】
　
上側係合部２３は、ランナー２の下側に設置されるソーラーパネル３の上端部を上側から保持する部分であり、延出部２２ｃのソーラーパネル３側の端部に設けられている。
　
上側係合部２３は、延出部２２ｃの下面から下方に向かって突設された一対の突条２３ａと、この一対の突条２３ａの間に形成された凹溝２３ｂと、によって構成されている。
　
一対の突条２３ａの先端部は、断面視で略円形状に形成されており、その周面には緩衝用の樹脂皮膜がコーティングされている。凹溝２３ｂは、回動部２２を下向きに回動したときに、後記するソーラーパネル３の上辺に設けられた上側被係合部３６（図２参照）に係合し、
【００４０】
　
下側係合部２４は、ランナー２の上側に設置されるソーラーパネル３の下端部を下側から保持する部分であり、延出部２２ｃのソーラーパネル３側の端部に設けられている。
　
下側係合部２４は、延出部２２ｃの上面から上方に向かって突設された一対の突条２４ａと、この一対の突条２４ａの間に形成された凹溝２４ｂと、によって構成されている。
　
一対の突条２４ａの先端部は、断面視で略円形状に形成されており、その周面には緩衝用の樹脂皮膜がコーティングされている。凹溝２４ｂは、後記するソーラーパネル３の下辺に設けられた下側被係合部３７に係合している。
カ　周知技術２
　主として、上記文献１５ないし１７、１９、２０に記載されている次の技術は、周知技術（以下「周知技術２」という。）である。なお、文献１８には、太陽電池モジュールのエラストマー製の長尺体による保持が記載されているが、その全周を保持するものである。
「太陽電池パネルを含め、板状の部材を、２つの、挿入のためのスリットを有するエラストマー製の長尺体により保持する技術。」
５　当審の判断
（１）主引例を文献１とする場合について
ア　本件特許発明５
（ア）対比
　請求項５の特許に係る発明（以下、請求項１、３、５、８、１１ないし１３、１５、１７、１８の特許に係る発明を、それぞれ「本件特許発明１」、「本件特許発明３」、「本件特許発明５」、「本件特許発明８」、「本件特許発明１１」ないし「本件特許発明１３」、「本件特許発明１５」、「本件特許発明１７」、「本件特許発明１８」という。）と文献１発明を対比する。
ａ　文献１発明の「太陽電池」は、本件特許発明５の「光起電力パネル」に相当する。
ｂ　文献１発明の「ポリエチレンやポリプロピレンを素材としてブロー成形した四角形の板状ブロックからなる浮体」は、ポリエチレンやポリプロピレンのようなプラスチック製のものであり、四角形の板状ブロックからなるものであるから一つの下部壁、一つの上部壁および四つの側壁を持つケーシングであるといえ、これは、本件特許発明５の「一つの下部壁（３）、一つの上部壁（４）および四つの側壁（５、６、７、８）を構成する」「単一のプラスチック製ケーシング」に相当する。
ｃ　文献１の「浮体」は、モジュールとして連結されるもので、その「上面に、１枚の太陽電池を敷設し固定し」ているから、文献１発明は、本件特許発明５の「モジュール式要素である光起電力パネル支持装置（１）であって、光起電力パネル支持装置は、前記プラスチック製ケーシングの前記上部壁（４）上に光起電力パネルの維持手段を有し」ているといえる。
　したがって、本件特許発明５と文献１発明を対比したときの一致点及び相違点は、次のとおりである。
【一致点１−５】
「一つの下部壁（３）、一つの上部壁（４）および四つの側壁（５、６、７、８）を構成するプラスチック製ケーシング（２）で主に構成されたモジュール式要素である光起電力パネル支持装置（１）であって、光起電力パネル支持装置は、前記プラスチック製ケーシングの前記上部壁（４）上に光起電力パネルの維持手段を有する、
　光起電力支持装置。」
【相違点１−５−１】
　本件特許発明５においては、プラスチック製ケーシングが、「気密な単一の」、「フロートを構成できるようにする一定の空気体積を閉じ込めることができるもの」であるが、文献１発明においては、「浮体」が、このような構成を有しているか不明である点。
【相違点１−５−２】
　本件特許発明５においては、プラスチック製ケーシングが、「前記光起電力パネルの通気を目的とし、前記上部壁（４）から前記下部壁（３）まで前記プラスチック製ケーシング（２）を貫通するくり抜き部（１４）」を有するが、文献１発明においては、「浮体」は、このような構成を有しない点。
【相違点１−５−３】
　本件特許発明５においては、プラスチック製ケーシングが、上記相違点１−５−２に係る構成を備えた上で、「上部表面（４）上で深さ方向に延在し、前記光起電力パネルの通気を目的とし、前記プラスチック製ケーシング（２）の一つの側壁から前記プラスチック製ケーシングの反対側の側壁まで延在している少なくとも一つの流路（１５、１６）」を有しているが、文献１発明においては、「浮体」は、このような構成を有しない点。
（イ）判断
　上記相違点について検討する。
　上記相違点１−５−１について、文献１発明の「浮体」も「ブロー成形した」ものであり、周知技術１を考慮し、ブロー成形によって、気密な単一のフロートであって、一定の空気体積を閉じ込めることができるものとすることは当業者が容易になし得たことである。
　しかし、上記相違点１−５−２及び相違点１−５−３について、文献２発明、文献３発明、文献５発明、文献６発明、文献７発明、文献８発明における、太陽電池の支持に用いられるフロートは、枠状のもの、孔を有するもの、浮輪や筏であるが、これらは、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではなく、これらの各発明に、浮体の上面に排水溝を有する文献１発明において、光起電力パネルの通気を目的とし、上部壁から下部壁までプラスチック製ケーシングを貫通するくり抜き部を設ける動機付けはない。
　また、仮に、これらの各発明に加えて周知技術１も考慮し、文献１発明において、何らかの孔をフロートである浮体に設けることを当業者が想到し得たとしても、上記相違点１−５−２に係る構成の「前記光起電力パネルの通気を目的とし、前記上部壁（４）から前記下部壁（３）まで前記プラスチック製ケーシング（２）を貫通するくり抜き部（１４）」を設けた上で、さらに、上記相違点１−５−３に係る構成の「上部表面（４）上で深さ方向に延在し、前記光起電力パネルの通気を目的とし、前記プラスチック製ケーシング（２）の一つの側壁から前記プラスチック製ケーシングの反対側の側壁まで延在している少なくとも一つの流路（１５、１６）」を設けることまで当業者に容易であったとすることはできない。
　ここで、文献１発明は、浮体の上面に排水溝を有し、文献３発明は、パネル支持部に形成された空気取入口を有し、文献４発明は、太陽電池モジュールを載置する領域に波板状凹凸が形成され、文献８発明は、本体の上面から突出させた板部材の上端部に太陽光発電パネルを支持しているが、これらの発明は、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けたものではない。
　文献９発明ないし文献１１発明も、気密な単一のフロートである、一定の空気体積を閉じ込めることができるプラスチックケーシングにおいて、光起電力パネルの通気を目的とし、上部壁から下部壁までプラスチック製ケーシングを貫通するくり抜き部を設けたものではない。
　したがって、本件特許発明５は、文献１を主引例として、当業者が容易に発明し得たものではない。
イ　本件特許発明８、１１ないし１３、１５、１７、１８
　本件特許発明５を引用するときの本件特許発明８、１１ないし１３、１５、１７、１８は、本件特許発明５の構成を全て含むものであるから、上記５（１）アに記載したものと同様の理由によって、文献１を主引例として、当業者が容易に発明し得たものではない。
ウ　なお、特許異議申立人は、異議申立書において、本件特許発明１について、文献１を主引例とする場合の取消理由について記載していないが、以下、念のため、検討を加える。
　本件発明１と文献１発明を対比したときの一致点及び相違点は、上記５（１）アに記載したものと同様の相当関係から、次のとおりである。
【一致点１−１】
「一つの下部壁（３）、一つの上部壁（４）および四つの側壁（５、６、７、８）を構成するプラスチック製ケーシング（２）で主に構成されたモジュール式要素である光起電力パネル支持装置（１）であって、光起電力パネル支持装置は、前記プラスチック製ケーシングの前記上部壁（４）上に光起電力パネルの維持手段を有する、
　光起電力支持装置。」
【相違点１−１−１】
　本件特許発明１においては、プラスチック製ケーシングが、「気密な単一の」、「フロートを構成できるようにする一定の空気体積を閉じ込めることができるもの」であるが、文献１発明においては、「浮体」が、このような構成を有しているか不明である点。
【相違点１−１−２】
　本件特許発明１においては、プラスチック製ケーシングが、「前記光起電力パネルの通気を目的とし、前記上部壁（４）から前記下部壁（３）まで前記プラスチック製ケーシング（２）を貫通するくり抜き部（１４）」を有するが、文献１発明においては、「浮体」は、このような構成を有していない点。
【相違点１−１−３】
　　本件特許発明１においては、プラスチック製ケーシングが、上記相違点１−１−２に係る構成を備えた上で、「前記維持手段が前記プラスチック製ケーシング（２）に固定されたエラストマー製の二つの固定用形材（６１、６２；６３；６４）を含み、前記二つの固定用形材（６１、６２；６３；６４）が互いに平行に延在し、各々の固定用形材が、フレーム付き光起電力パネルのフレーム（Ｃ）を挟持することを目的とする、あるいはフレーム無しの光起電力パネルを挟持することを目的とする長手方向スリット（６５）を有し、二つの固定用形材の前記長手方向スリット（６５）が光起電力パネルの平面に対して平行な同じ平面に沿って延在しており、前記二つの固定用形材（６１、６２；６３；６４）が、フレームの二つの相対する縁部（Ｃ１、Ｃ２）の挟持によるフレーム付き光起電力パネルの固定あるいは光起電力パネルの二つの縁部の挟持によるフレーム無しの光起電力パネルの固定を可能にするような形で互いに離隔されている」が、文献１発明は、このような構成を有していない点。
　これらの相違点についての検討も上記５（１）アに記載したものと同様であって、文献１発明において、周知技術１を考慮し、上記相違点１−１−１に係る構成を備えたものとすることが容易であったとしても、文献２発明、文献３発明、文献５発明、文献６発明、文献７発明、文献８発明に、文献１発明において、光起電力パネルの通気を目的とし、上部壁から下部壁までプラスチック製ケーシングを貫通するくり抜き部を設ける動機付けはなく、また、仮に、これらの各発明に加えて周知技術１も考慮し、何らかの孔をフロートである浮体に設けることを当業者が想到し得たとしても、上記相違点１−１−２に係る構成のくり抜き部を設けた上で、さらに、周知技術２まで考慮し、上記相違点１−１−３に係る構成のエラストマー製の２つの固定用形材による光起電力パネルの維持を行うという、複数の段階を経る組み合わせを行うことまで当業者に容易であったということはできない。
　文献９発明ないし文献１１発明も、気密な単一のフロートである、一定の空気体積を閉じ込めることができるプラスチック製ケーシングにおいて、光起電力パネルの通気を目的とし、上部壁から下部壁まで前記プラスチック製ケーシングを貫通するくり抜き部を設けたものではない。
　したがって、本件特許発明１及び本件特許発明１を引用するときの本件特許発明３、８、１１ないし１３、１５、１７、１８も、文献１を主引例として、当業者が容易に発明し得たものではない。
（２）主引例を文献２とする場合について
ア　本件特許発明１
（ア）対比
　本件特許発明１と文献２発明を対比する。
ａ　文献２発明の「太陽電池モジュール」は、本件特許発明１の「光起電力パネル」に相当する。
ｂ　文献２発明の「枠状のフロート」は、枠状のものであって、一つの下部壁、一つの上部壁および四つの側壁を有しているから、本件特許発明１の「一つの下部壁（３）、一つの上部壁（４）および四つの側壁（５、６、７、８）を構成する」ものに相当し、文献２発明の「枠状のフロート」は、その上で太陽電池モジュールの外周部を支持し、モジュールとして使われるものであるから、文献２発明は、本件特許発明１の「一つの下部壁（３）、一つの上部壁（４）および四つの側壁（５、６、７、８）を構成する」「モジュール式要素である光起電力パネル支持装置（１）であって」「光起電力パネル支持装置は、」「前記上部壁（４）上に光起電力パネルの維持手段を有し」ているといえる。
　したがって、本件特許発明１と文献２発明を対比したときの一致点及び相違点は、次のとおりである。
【一致点２−１】
「一つの下部壁（３）、一つの上部壁（４）および四つの側壁（５、６、７、８）を構成するモジュール式要素である光起電力パネル支持装置（１）であって、光起電力パネル支持装置は、前記上部壁（４）上に光起電力パネルの維持手段を有する、
　光起電力支持装置。」
【相違点２−１−１】
　本件特許発明１においては、「一つの下部壁（３）、一つの上部壁（４）および四つの側壁（５、６、７、８）を構成する」ものが、「気密な単一のプラスチック製ケーシング（２）で主に構成された」もので、「それがフロートを構成できるようにする一定の空気体積を閉じ込めることができるものである」が、文献２発明においては、「フロート」は、このような構成を有していない点。
【相違点２−１−２】
　本件特許発明１においては、上記相違点２−１−１に係る構成を備えた上で、「前記光起電力パネルの通気を目的とし、前記上部壁（４）から前記下部壁（３）まで前記プラスチック製ケーシング（２）を貫通するくり抜き部（１４）」を有しているが、文献２発明においては、「フロート」は、このような構成を有していない点。
【相違点２−１−３】
　本件特許発明１においては、上記相違点２−１−１に係る構成及び上記相違点２−１−２に係る構成を備えた上で、「前記維持手段が前記プラスチック製ケーシング（２）に固定されたエラストマー製の二つの固定用形材（６１、６２；６３；６４）を含み、前記二つの固定用形材（６１、６２；６３；６４）が互いに平行に延在し、各々の固定用形材が、フレーム付き光起電力パネルのフレーム（Ｃ）を挟持することを目的とする、あるいはフレーム無しの光起電力パネルを挟持することを目的とする長手方向スリット（６５）を有し、二つの固定用形材の前記長手方向スリット（６５）が光起電力パネルの平面に対して平行な同じ平面に沿って延在しており、前記二つの固定用形材（６１、６２；６３；６４）が、フレームの二つの相対する縁部（Ｃ１、Ｃ２）の挟持によるフレーム付き光起電力パネルの固定あるいは光起電力パネルの二つの縁部の挟持によるフレーム無しの光起電力パネルの固定を可能にするような形で互いに離隔されている」が、文献２発明は、このような構成を有していない点。
（イ）判断
　上記相違点について検討する。
　上記相違点２−１−１及び上記相違点２−１−２について、文献２の段落【０００９】に「この覆蓋パネル装置は、覆蓋パネルのフロートを太陽電池モジュールの外周部を支持する枠状に形成するとともに、該フロート上に太陽電池モジュールを配設して、該太陽電池モジュールにより遮光部を形成することから、フロートの体積を削減して覆蓋パネルを軽量化し、覆蓋パネル装置の引き上げ作業を省力化することができる」と記載されていることから、文献２発明において、フロートが枠状のもので、２つの四角い穴が開いた所定厚みの発泡樹脂板体の周囲をＦＲＰ等の合成樹脂のリブにより被覆したものからなっている構成は、「フロートの体積を削減して覆蓋パネルを軽量化し、覆蓋パネル装置の引き上げ作業を省力化する」ための、技術的意義を有する、主たる構成である。ここで、周知技術１のように、ブロー成形によって気密な単一のプラスチック製ケーシングであるフロートを得ることが周知技術であったとしても、文献２発明において、このような技術的意義を有する主たる構成を、気密な単一のプラスチック製ケーシングで主に構成された、一定の空気体積を閉じ込めることができるフロートに変更することが、当業者にとって容易であったとはいえない。
　また、仮に、周知技術１を考慮して、文献２発明の枠状のフロートを気密な単一のプラスチック製ケーシングとすることを当業者が想到し得たとしても、その上で、さらに、周知技術２まで考慮し、上記相違点２−１−３に係る構成のエラストマー製の２つの固定用形材による光起電力パネルの維持を行うという、複数の段階を経る組み合わせを行うことまで当業者に容易であったとすることはできない。
イ　本件特許発明５
（ア）対比
　本件特許発明５と文献２発明を対比する。
　上記５（２）ア（ア）に記載したものと同様の相当関係から、本件特許発明５と文献２発明を対比したときの一致点及び相違点は、次のとおりとなる。
【一致点２−５】
「一つの下部壁（３）、一つの上部壁（４）および四つの側壁（５、６、７、８）を構成するモジュール式要素である光起電力パネル支持装置（１）であって、光起電力パネル支持装置は、前記上部壁（４）上に光起電力パネルの維持手段を有する、
　光起電力支持装置。」
【相違点２−５−１】
　本件特許発明５においては、「一つの下部壁（３）、一つの上部壁（４）および四つの側壁（５、６、７、８）を構成する」ものが、「気密な単一のプラスチック製ケーシング（２）で主に構成された」もので、「それがフロートを構成できるようにする一定の空気体積を閉じ込めることができるものである」が、文献２発明においては、「フロート」は、このような構成を有していない点。
【相違点２−５−２】
　本件特許発明５においては、上記相違点２−５−１に係る構成を備えた上で、「前記光起電力パネルの通気を目的とし、前記上部壁（４）から前記下部壁（３）まで前記プラスチック製ケーシング（２）を貫通するくり抜き部（１４）」を有しているが、文献２発明においては、「フロート」は、このような構成を有していない点。
【相違点２−５−３】
　本件特許発明５においては、上記相違点２−５−１及び上記相違点２−５１−２に係る構成を備えた上で、「上部表面（４）上で深さ方向に延在し、前記光起電力パネルの通気を目的とし、前記プラスチック製ケーシング（２）の一つの側壁から前記プラスチック製ケーシングの反対側の側壁まで延在している少なくとも一つの流路（１５、１６）」を有しているが、文献２発明においては、「フロート」は、このような構成を有していない点。
（イ）判断
　上記相違点について検討する。
　上記５（２）ア（ア）に記載したことと同様に、上記相違点２−５−１及び上記相違点５−１−２について、文献２発明において、フロートの体積を削減して覆蓋パネルを軽量化し、覆蓋パネル装置の引き上げ作業を省力化するための、技術的意義を有する、主たる構成である、フロートが、枠状のもので、２つの四角い穴が開いた所定厚みの発泡樹脂板体の周囲をＦＲＰ等の合成樹脂のリブにより被覆したものからなっている構成を、気密な単一のプラスチック製ケーシングで主に構成された、一定の空気体積を閉じ込めるフロートに変更することは、当業者にとって容易であったとはいえない。
　また、仮に、周知技術１を考慮して、文献２発明の枠状のフロートを気密な単一のプラスチック製ケーシングとすることを当業者が想到し得たとしても、その上で、さらに、上記相違点２−５−３に係る構成のように、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けることまで容易であったとすることはできない。
　ここで、文献１発明は、浮体の上面に排水溝が形成され、文献３発明は、パネル支持部に形成された空気取入口を有し、文献４発明は、太陽電池モジュールを載置する領域に波板状凹凸が形成され、文献８発明は、本体の上面から突出させた板部材の上端部に太陽光発電パネルを支持しているが、これらの発明は、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けたものではない。
　また、文献２の段落【００１０】に、「枠状のフロートの内側の穴部分に、薄膜状の遮水部材を配設するようにすることができる」、段落【００１９】に、「フロート１の内側に、合成樹脂フィルム等からなる薄膜状の遮水部材７を配設することにより、太陽電池モジュール２を水から保護することができる」と記載されていることからしても、文献２発明において、枠状のフロートの内側の穴部分は通気を目的としたものではなく、このことからも、上記のことが、当業者にとって容易なものであったとすることはできない。
ウ　本件特許発明３、８、１１ないし１３、１５、１７、１８
　本件特許発明１、５を引用するときの本件特許発明３、８、１１ないし１３、１５、１７、１８は、本件特許発明１、５の構成を全て含むものであるから、上記５（２）ア、イに記載したものと同様の理由によって、文献２を主引例として、当業者が容易に発明し得たものではない。
（３）主引例を文献３とする場合について
ア　本件特許発明１
（ア）対比
　本件特許発明１と文献３発明を対比する。
ａ　文献３発明の「太陽電池パネル」は、本件特許発明１の「光起電力パネル」に相当する。
ｂ　文献３発明の高発泡樹脂が充填され」た「外装体」は、「熱可塑性シート状の耐候性樹脂板を材料にして」いるから、プラスチック製ケーシングで主に構成されたものであるといえ、一つの下部壁、一つの上部壁及び四つの側壁を有しているから、これは、本件特許発明１の「一つの下部壁（３）、一つの上部壁（４）および四つの側壁（５、６、７、８）を構成する」「プラスチック製ケーシング（２）で主に構成された」ものに相当する。
ｃ　文献３発明において、外装体上部のパネル取付体の上部に太陽電池パネルが装着されており、文献３発明は、モジュールとして使われるものであるから、本件特許発明１の「モジュール式要素である光起電力パネル支持装置（１）であって、光起電力パネル支持装置は、前記プラスチック製ケーシングの前記上部壁（４）上に光起電力パネルの維持手段を有し」ているといえる。
　したがって、本件特許発明１と文献３発明を対比したときの一致点及び相違点は、次のとおりである。
【一致点３−１】
「一つの下部壁（３）、一つの上部壁（４）および四つの側壁（５、６、７、８）を構成するプラスチック製ケーシング（２）で主に構成されたモジュール式要素である光起電力パネル支持装置（１）であって、光起電力パネル支持装置は、前記プラスチック製ケーシングの前記上部壁（４）上に光起電力パネルの維持手段を有する、
　光起電力支持装置。」
【相違点３−１−１】
　本件特許発明１においては、プラスチック製ケーシングが、「気密な単一の」、「フロートを構成できるようにする一定の空気体積を閉じ込めることができるもの」であるが、文献３発明においては、「外装体」は、このような構成を有していない点。
【相違点３−１−２】
　本件特許発明１においては、プラスチック製ケーシングが、上記相違点３−１−１に係る構成を備えた上で、「前記光起電力パネルの通気を目的とし、前記上部壁（４）から前記下部壁（３）まで前記プラスチック製ケーシング（２）を貫通するくり抜き部（１４）」を有しているが、文献３発明においては、「外装体」は、このような構成を有していない点。
【相違点３−１−３】
　本件特許発明１においては、プラスチック製ケーシングが、上記相違点３−１−１に係る構成及び上記相違点３−１−２に係る構成を有した上で、「前記維持手段が前記プラスチック製ケーシング（２）に固定されたエラストマー製の二つの固定用形材（６１、６２；６３；６４）を含み、前記二つの固定用形材（６１、６２；６３；６４）が互いに平行に延在し、各々の固定用形材が、フレーム付き光起電力パネルのフレーム（Ｃ）を挟持することを目的とする、あるいはフレーム無しの光起電力パネルを挟持することを目的とする長手方向スリット（６５）を有し、二つの固定用形材の前記長手方向スリット（６５）が光起電力パネルの平面に対して平行な同じ平面に沿って延在しており、前記二つの固定用形材（６１、６２；６３；６４）が、フレームの二つの相対する縁部（Ｃ１、Ｃ２）の挟持によるフレーム付き光起電力パネルの固定あるいは光起電力パネルの二つの縁部の挟持によるフレーム無しの光起電力パネルの固定を可能にするような形で互いに離隔されている」が、文献３発明は、このような構成を有していない点。
（イ）判断
　上記相違点について検討する。
　上記相違点３−１−１について、文献３発明の「外装体」は、「高発泡樹脂が充填され」たものであるが、文献３の段落【００４６】に、「外装体１０の内側には、高発泡樹脂１５が充填されている。通常、水上用太陽電池モジュールの浮力は外装体１０の形状で得ているが、高発泡樹脂１５も水上用太陽電池モジュールを浮遊させておくに十分な浮力を有する。仮に船舶の衝突、流木などの大型漂流物の衝突、想定外の大きな波などによって、外装体１０が損傷しても沈没しない構造となっている。また、空洞であった外装体１０の内側に高発泡樹脂１５を充填することによって、外装体１０の強度が強くなる特長を有する。」と記載されているとおり、このような高発泡樹脂の充填は、浮力の向上、沈没の防止、強度の向上という技術的意義を有するものである。このような技術的意義を有する、主たる構成を、一定の空気体積を閉じ込めることができる、気密な単一のフロートに変更することが、当業者にとって容易であったとすることはできない。
　また、仮に、周知技術１を考慮して、文献３発明の「外装体」を、一定の空気体積を閉じ込めることができる、気密な単一のフロートとすることを当業者が容易に想到し得たとしても、さらに、上記相違点３−１−２に係る構成のように、光起電力パネルの通気を目的とし、上部壁から下部壁までプラスチック製ケーシングを貫通するくり抜き部を設け、周知技術２まで考慮し、上記相違点３−１−３に係る構成のエラストマー製の２つの固定用形材による光起電力パネルの維持を行うという、複数の段階を経る組み合わせを行うことまで当業者に容易であったとすることはできない。
　ここで、文献３発明は、蓄電池収容部の底部に外界に貫通する供給孔が形成されているが、これは、蓄電池の冷却のためであって、太陽電池パネルの通気を目的としたくり抜き部といえるものではなく、文献２発明、文献５発明、文献６発明、文献７発明、文献８発明における、太陽電池の支持に用いられるフロートは、枠状のもの、浮輪や筏であるが、これらは、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではない。
　文献９発明ないし文献１１発明も、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではない。
イ　本件特許発明５
（ア）対比
　本件特許発明５と文献３発明を対比する。
　上記５（３）ア（ア）に記載したものと同様の相当関係から、本件特許発明５と文献３発明を対比したときの一致点及び相違点は、次のとおりとなる。
【一致点３−５】
「一つの下部壁（３）、一つの上部壁（４）および四つの側壁（５、６、７、８）を構成するプラスチック製ケーシング（２）で主に構成されたモジュール式要素である光起電力パネル支持装置（１）であって、光起電力パネル支持装置は、前記プラスチック製ケーシングの前記上部壁（４）上に光起電力パネルの維持手段を有する、
　光起電力支持装置。」
【相違点３−５−１】
　本件特許発明１においては、プラスチック製ケーシングが、「気密な単一の」、「フロートを構成できるようにする一定の空気体積を閉じ込めることができるもの」であるが、文献３発明においては、「外装体」は、このような構成を有していない点。
【相違点３−５−２】
　本件特許発明１においては、プラスチック製ケーシングが、上記相違点３−１−１に係る構成を備えた上で、「前記光起電力パネルの通気を目的とし、前記上部壁（４）から前記下部壁（３）まで前記プラスチック製ケーシング（２）を貫通するくり抜き部（１４）を有」しているが、文献３発明においては、「外装体」は、このような構成を有していない点。
【相違点３−５−３】
　本件特許発明１においては、プラスチック製ケーシングが、上記相違点３−１−１に係る構成及び上記相違点３−１−２に係る構成を備えた上で、「上部表面（４）上で深さ方向に延在し、前記光起電力パネルの通気を目的とし、前記プラスチック製ケーシング（２）の一つの側壁から前記プラスチック製ケーシングの反対側の側壁まで延在している少なくとも一つの流路（１５、１６）」を有しているが、文献３発明においては、「外装体」は、このような構成を有していない点。
（イ）判断
　上記相違点について検討する。
　上記５（３）ア（イ）に記載したことと同様に、上記相違点３−５−１について、浮力の向上、沈没の防止、強度の向上という技術的意義を有する、主たる構成である、文献３発明の「高発泡樹脂が充填され」た「外装体」を、一定の空気体積を閉じ込めることができる、気密な単一のフロートに変更することが、当業者にとって容易であったとすることはできない。
　また、仮に、周知技術１を考慮して、文献３発明の「外装体」を、一定の空気体積を閉じ込めることができる、気密な単一のフロートとすることを当業者が容易に想到し得たとしても、さらに、上記相違点３−５−２に係る構成のように、光起電力パネルの通気を目的とし、上部壁から下部壁までプラスチック製ケーシングを貫通するくり抜き部を設け、上記相違点３−５−３に係る構成のように、プラスチック製ケーシングの一つの側壁から反対側の側壁まで延在している流路を設けることまで容易であったとすることはできない。
　ここで、文献２発明、文献３発明、文献５発明、文献６発明、文献７発明、文献８発明は、光起電力パネルの通気を目的とし、上部壁から下部壁までプラスチック製ケーシングを貫通するくり抜き部を設けたものではない。
　文献１発明は、浮体の上面に排水溝が形成され、文献３発明は、パネル支持部に形成された空気取入口を有し、文献４発明は、太陽電池モジュールを載置する領域に波板状凹凸が形成され、文献８発明は、本体の上面から突出させた板部材の上端部に太陽光発電パネルを支持しているが、これらの発明は、気密な単一のフロートである、一定の空気体積を閉じ込めることができるプラスチック製ケーシングにおいて、光起電力パネルの通気を目的とし、上部壁から下部壁まで前記プラスチック製ケーシングを貫通するくり抜き部を設けた上で、光起電力パネルの通気を目的とし、プラスチック製ケーシングの一つの側壁から反対側の側壁まで延在している流路を設けたものではない。
　文献９発明ないし文献１１発明も、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではない。
ウ　本件特許発明３、８、１１ないし１３、１５、１７、１８
　本件特許発明１、５を引用するときの本件特許発明３、８、１１ないし１３、１５、１７、１８は、本件特許発明１、５の構成を全て含むものであるから、上記５（３）ア、イに記載したものと同様の理由によって、文献２を主引例として、当業者が容易に発明し得たものではない。
（４）主引例を文献４とする場合について
ア　本件特許発明５
（ア）対比
　本件特許発明５と文献４発明を対比する。
ａ　文献４発明の「太陽電池モジュール」は、本件特許発明５の「光起電力パネル」に相当する。
ｂ　文献４発明の「プラスチック発泡体を収容したプラスチック成形品の浮揚部」及び「当該浮揚部と一体化して浮揚部の上面を覆ったプラスチック成形品の天板」を合わせたものは、プラスチック成形品であって、「その上面に太陽電池モジュールを載置する」ものであり、一つの下部壁、一つの上部壁および四つの側壁を有しているから、本件特許発明５の「一つの下部壁（３）、一つの上部壁（４）および四つの側壁（５、６、７、８）を構成する」「プラスチック製ケーシング（２）で主に構成された」ものに相当する。
ｂ　文献４発明は、モジュールとして使用されるものであり、「天板」の「上面に太陽電池モジュールを載置する」ものであるから、本件特許発明５の「モジュール式要素である光起電力パネル支持装置（１）であって、」「光起電力パネル支持装置は、前記プラスチック製ケーシングの前記上部壁（４）上に光起電力パネルの維持手段を有し」ているといえる。
　したがって、本件特許発明５と文献４発明を対比したときの一致点及び相違点は、次のとおりである。
【一致点４−５】
「一つの下部壁（３）、一つの上部壁（４）および四つの側壁（５、６、７、８）を構成するプラスチック製ケーシング（２）で主に構成されたモジュール式要素である光起電力パネル支持装置（１）であって、光起電力パネル支持装置は、前記プラスチック製ケーシングの前記上部壁（４）上に光起電力パネルの維持手段を有する、
　光起電力支持装置。」
【相違点４−５−１】
　本件特許発明５においては、プラスチック製ケーシングが、「気密な単一の」、「フロートを構成できるようにする一定の空気体積を閉じ込めることができるもの」であるが、文献４発明においては、「プラスチック発泡体を収容したプラスチック成形品の浮揚部」及び「当該浮揚部と一体化して浮揚部の上面を覆ったプラスチック成形品の天板」を合わせたものは、このような構成を有していない点。
【相違点４−５−２】
　本件特許発明５においては、プラスチック製ケーシングが、「前記光起電力パネルの通気を目的とし、前記上部壁（４）から前記下部壁（３）まで前記プラスチック製ケーシング（２）を貫通するくり抜き部（１４）を有」するが、文献４発明は、このような構成を有していない点。
しない。
【相違点４−５−３】
　本件特許発明５においては、プラスチック製ケーシングが、上記相違点４−５−１に係る構成及び上記相違点４−５−２に係る構成を備えた上で、「上部表面（４）上で深さ方向に延在し、前記光起電力パネルの通気を目的とし、前記プラスチック製ケーシング（２）の一つの側壁から前記プラスチック製ケーシングの反対側の側壁まで延在している少なくとも一つの流路（１５、１６）」を有しているが、文献４発明は、このような構成を有していない点。
（イ）判断
　上記相違点について検討する。
　文献４発明は、「プラスチック発泡体を収容したプラスチック成形品の浮揚部」をその主たる構成とするものであって、このような主たる構成を、上記相違点４−５−１に係る構成のように、一定の空気体積を閉じ込めることができる、気密な単一のフロートに変更することが、当業者にとって容易であったとすることはできない。
　また、仮に、周知技術１を考慮して、文献４発明の「プラスチック発泡体を収容したプラスチック成形品の浮揚部」及び「当該浮揚部と一体化して浮揚部の上面を覆ったプラスチック成形品の天板」を合わせたものを、一定の空気体積を閉じ込めることができる、気密な単一のフロートとすることを当業者が容易に想到し得たとしても、その上で、さらに、上記相違点４−５−２に係る構成のように、光起電力パネルの通気を目的とし、上部壁から下部壁までプラスチック製ケーシングを貫通するくり抜き部を設け、上記相違点４−５−３に係る構成のように、プラスチック製ケーシングの一つの側壁から反対側の側壁まで延在している流路を設けることまで容易であったとすることはできない。
　ここで、文献２発明、文献３発明、文献５発明、文献６発明、文献７発明、文献８発明は、光起電力パネルの通気を目的とし、上部壁から下部壁までプラスチック製ケーシングを貫通するくり抜き部を設けたものではない。
　文献１発明は、浮体の上面に排水溝が形成され、文献３発明は、パネル支持部に形成された空気取入口を有し、文献４発明は、太陽電池モジュールを載置する領域に波板状凹凸が形成され、文献８発明は、本体の上面から突出させた板部材の上端部に太陽光発電パネルを支持しているが、これらの発明は、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から前記プラスチック製ケーシングの反対側の側壁まで延在している流路を設けたものではない。
　文献９発明ないし文献１１発明も、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではない。
イ　本件特許発明８、１１ないし１３、１５、１７、１８
　本件特許発明５を引用するときの本件特許発明８、１１ないし１３、１５、１７、１８は、本件特許発明５の構成を全て含むものであるから、上記５（４）アに記載したものと同様の理由によって、文献４を主引例として、当業者が容易に発明し得たものではない。
ウ　なお、特許異議申立人は、異議申立書において、本件特許発明１について、文献４を主引例とする場合の取消理由について記載していないが、以下、念のため、検討を加える。
　本件発明１と文献４発明を対比したときの一致点及び相違点は、上記５（４）アに記載したものと同様の相当関係から、次のとおりでなる。
【一致点４−１】
「一つの下部壁（３）、一つの上部壁（４）および四つの側壁（５、６、７、８）を構成するプラスチック製ケーシング（２）で主に構成されたモジュール式要素である光起電力パネル支持装置（１）であって、光起電力パネル支持装置は、前記プラスチック製ケーシングの前記上部壁（４）上に光起電力パネルの維持手段を有する、
　光起電力支持装置。」
【相違点４−１−１】
　本件特許発明１においては、プラスチック製ケーシングが、「気密な単一の」、「フロートを構成できるようにする一定の空気体積を閉じ込めることができるもの」であるが、文献４発明は、このような構成を有していない点。
【相違点４−１−２】
　本件特許発明１においては、プラスチック製ケーシングが、「前記光起電力パネルの通気を目的とし、前記上部壁（４）から前記下部壁（３）まで前記プラスチック製ケーシング（２）を貫通するくり抜き部（１４）を有」するが、文献４発明は、このような構成を有していない点。
【相違点４−１−３】
　本件特許発明１においては、プラスチック製ケーシングが、上記相違点４−５−１に係る構成及び上記相違点４−５−２に係る構成を有した上で、「前記維持手段が前記プラスチック製ケーシング（２）に固定されたエラストマー製の二つの固定用形材（６１、６２；６３；６４）を含み、前記二つの固定用形材（６１、６２；６３；６４）が互いに平行に延在し、各々の固定用形材が、フレーム付き光起電力パネルのフレーム（Ｃ）を挟持することを目的とする、あるいはフレーム無しの光起電力パネルを挟持することを目的とする長手方向スリット（６５）を有し、二つの固定用形材の前記長手方向スリット（６５）が光起電力パネルの平面に対して平行な同じ平面に沿って延在しており、前記二つの固定用形材（６１、６２；６３；６４）が、フレームの二つの相対する縁部（Ｃ１、Ｃ２）の挟持によるフレーム付き光起電力パネルの固定あるいは光起電力パネルの二つの縁部の挟持によるフレーム無しの光起電力パネルの固定を可能にするような形で互いに離隔されている」が、文献４発明は、このような構成を有していない点。
　これらの相違点についての検討も上記５（４）アに記載したものと同様であって、文献４発明の、「プラスチック発泡体を収容したプラスチック成形品の浮揚部」という主たる構成を、上記相違点４−１−１に係る構成のように、一定の空気体積を閉じ込めることができる、気密な単一のフロートに変更することが、当業者にとって容易であったとすることはできない。
　また、仮に、周知技術１を考慮して、文献４発明の「プラスチック発泡体を収容したプラスチック成形品の浮揚部」及び「当該浮揚部と一体化して浮揚部の上面を覆ったプラスチック成形品の天板」を合わせたものを、一定の空気体積を閉じ込めることができる、気密な単一のフロートとすることを当業者が容易に想到し得たとしても、その上で、さらに、上記相違点４−１−２に係る構成のように、光起電力パネルの通気を目的とし、上部壁から下部壁までプラスチック製ケーシングを貫通するくり抜き部を設け、周知技術２まで考慮し、上記相違点４−１−３に係る構成のエラストマー製の２つの固定用形材による光起電力パネルの維持を行うという、複数の段階を経る組み合わせを行うことまで当業者に容易であったとすることはできない。
　ここで、文献２発明、文献３発明、文献５発明、文献６発明、文献７発明、文献８発明は、光起電力パネルの通気を目的とし、上部壁から下部壁までプラスチック製ケーシングを貫通するくり抜き部を設けたものではない。
　文献９発明ないし文献１１発明も、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではない。
　したがって、本件特許発明１及び本件特許発明１を引用するときの本件特許発明３、８、１１ないし１３、１５、１７、１８も、文献４を主引例として、当業者が容易に発明し得たものでない。
（５）主引例を文献５とする場合について
ア　本件特許発明１
（ア）対比
　本件特許発明１と文献５発明を対比する。
ａ　文献５発明の「太陽電池」は、本件特許発明１の「光起電力パネル」に相当する。
ｂ　文献５発明の「ドーナツ形状のゴム製浮輪」は、その上に「４本の支柱」を有し、この「４本の支柱」によって「太陽電池」を支持しているから、文献５発明は、本件特許発明１の「光起電力パネル支持装置」であって、「上部に光起電力パネルの維持手段を有する」ものであるといえる。
　したがって、本件特許発明１と文献５発明を対比したときの一致点及び相違点は、次のとおりである。
【一致点５−１】
「上部に光起電力パネルの維持手段を有する、
　光起電力パネル支持装置。」
【相違点５−１−１】
　本件特許発明１においては、その上部壁上に光起電力パネルの維持手段を有しているものは、「一つの下部壁（３）、一つの上部壁（４）および四つの側壁（５、６、７、８）を構成する気密な単一のプラスチック製ケーシング（２）で主に構成されたモジュール式要素」であって、「それがフロートを構成できるようにする一定の空気体積を閉じ込めることができるもの」であるが、文献５発明においては、「ドーナツ形状のゴム製浮輪」は、このような構成を有していない点。
【相違点５−１−２】
　本件特許発明１においては、上記相違点５−１−１に係る構成を備えた上で、「前記光起電力パネルの通気を目的とし、前記上部壁（４）から前記下部壁（３）まで前記プラスチック製ケーシング（２）を貫通するくり抜き部（１４）を有」するが、文献５発明においては、「ドーナツ形状のゴム製浮輪」は、このような構成を有していない点。
【相違点５−１−３】
　本件特許発明１においては、上記相違点５−１−１に係る構成及び上記相違点５−１−２に係る構成を備えた上で、「前記維持手段が前記プラスチック製ケーシング（２）に固定されたエラストマー製の二つの固定用形材（６１、６２；６３；６４）を含み、前記二つの固定用形材（６１、６２；６３；６４）が互いに平行に延在し、各々の固定用形材が、フレーム付き光起電力パネルのフレーム（Ｃ）を挟持することを目的とする、あるいはフレーム無しの光起電力パネルを挟持することを目的とする長手方向スリット（６５）を有し、二つの固定用形材の前記長手方向スリット（６５）が光起電力パネルの平面に対して平行な同じ平面に沿って延在しており、前記二つの固定用形材（６１、６２；６３；６４）が、フレームの二つの相対する縁部（Ｃ１、Ｃ２）の挟持によるフレーム付き光起電力パネルの固定あるいは光起電力パネルの二つの縁部の挟持によるフレーム無しの光起電力パネルの固定を可能にするような形で互いに離隔されている」が、文献５発明は、このような構成を有していない点。
（イ）判断
　上記相違点について検討する。
　上記相違点５−１−１及び相違５−１−２について、周知技術１を考慮して、文献５発明において、「ドーナツ形状のゴム製浮輪」をプラスチック製ケーシングとしたとしても、太陽電池に対する光量を増大させるため、両面入射型太陽電池を反射面を確保するための間隔を保持して支持している文献５発明において、さらに、周知技術２まで考慮し、上記相違点５−１−３に係る構成のエラストマー製の２つの固定用形材による太陽電池の支持を行うとすると、両面入射型太陽電池との間で反射面を確保するための間隔が確保されないこととなるため、このような組み合わせには阻害要因があるといえる。
　したがって、本件特許発明１は、文献５を主引例として、当業者が容易に発明し得たものではない。
イ　本件特許発明５
（ア）対比
　本件特許発明５と文献５発明を対比する。
　上記５（５）ア（ア）に記載したものと同様の相当関係から、本件特許発明５と文献５発明を対比したときの一致点及び相違点は、次のとおりとなる。
【一致点５−５】
「上部に光起電力パネルの維持手段を有する、
　光起電力パネル支持装置。」
【相違点５−５−１】
　本件特許発明５においては、その上部壁上に光起電力パネルの維持手段を有しているものは、「一つの下部壁（３）、一つの上部壁（４）および四つの側壁（５、６、７、８）を構成する気密な単一のプラスチック製ケーシング（２）で主に構成されたモジュール式要素」であって、「それがフロートを構成できるようにする一定の空気体積を閉じ込めることができるもの」であるが、文献５発明においては、「ドーナツ形状のゴム製浮輪」は、このような構成を有していない点。
【相違点５−５−２】
　本件特許発明５においては、上記相違点５−５−１に係る構成を備えた上で、「前記光起電力パネルの通気を目的とし、前記上部壁（４）から前記下部壁（３）まで前記プラスチック製ケーシング（２）を貫通するくり抜き部（１４）を有」するが、文献５発明においては、「ドーナツ形状のゴム製浮輪」は、このような構成を有していない点。
【相違点５−５−３】
　本件特許発明１においては、上記相違点５−５−１に係る構成及び上記相違点５−１−２に係る構成を備えた上で、「前記光起電力パネルの通気を目的とし、前記プラスチック製ケーシング（２）の一つの側壁から前記プラスチック製ケーシングの反対側の側壁まで延在している少なくとも一つの流路（１５、１６）」を有しているが、文献５発明はこのような構成を有していない点。
（イ）判断
　上記相違点について検討する。
　上記相違点５−５−１及び相違５−５−２について、周知技術１を考慮して、文献５発明において、「ドーナツ形状のゴム製浮輪」をプラスチック製ケーシングとしたとしても、さらに、上記相違点５−５−３のように、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けることまで当業者に容易であったとすることはできない。
　ここで、文献１発明は、浮体の上面に排水溝が形成され、文献３発明は、パネル支持部に形成された空気取入口を有し、文献４発明は、太陽電池モジュールを載置する領域に波板状凹凸が形成され、文献８発明は、本体の上面から突出させた板部材の上端部に太陽光発電パネルを支持しているが、これらの発明は、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けたものではない。
　文献９発明ないし文献１１発明も、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではない。
　また、文献５発明において、「ドーナツ形状のゴム製浮輪」をプラスチック製ケーシングとしたとした上で、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けるとすると、このような構成を有するプラスチック製ケーシングによる支持によって、両面入射型太陽電池との間で反射面を確保するための間隔が確保されないこととなり、このような組み合わせには阻害要因があるといえることからも、文献５発明において、上記相違点に係る構成を備えたものとすることは困難であったといえる。
　したがって、本件特許発明５は、文献５を主引例として、当業者が容易に発明し得たものではない。
ウ　本件特許発明３、８、１１ないし１３、１５、１７、１８
　本件特許発明１、５を引用するときの本件特許発明３、８、１１ないし１３、１５、１７、１８は、本件特許発明１、５の構成を全て含むものであるから、上記５（５）ア、イに記載したものと同様の理由によって、文献５を主引例として、当業者が容易に発明し得たものではない。
（６）主引例を文献６とする場合について
ア　本件特許発明１
（ア）対比
　本件特許発明１と文献６発明を対比する。
ａ　文献６発明の「太陽電池ユニット」は、本件特許発明１の「光起電力パネル」に相当する。
ｂ　文献６発明の「筏やポンツーン等浮力体」は、その上に「支柱により構成される架台」を有し、この「架台」上によって「太陽電池ユニット」を支持しているから、文献５発明は、本件特許発明１の「光起電力パネル支持装置」であって、「上部に光起電力パネルの維持手段を有する」ものであるといえる。
　したがって、本件特許発明１と文献６発明を対比したときの一致点及び相違点は、次のとおりである。
【一致点６−１】
「上部に光起電力パネルの維持手段を有する、
　光起電力パネル支持装置。」
【相違点６−１−１】
　本件特許発明１においては、その上部壁上に光起電力パネルの維持手段を有しているものは、「一つの下部壁（３）、一つの上部壁（４）および四つの側壁（５、６、７、８）を構成する気密な単一のプラスチック製ケーシング（２）で主に構成されたモジュール式要素」であって、「それがフロートを構成できるようにする一定の空気体積を閉じ込めることができるもの」であるが、文献６発明においては、「浮力体」は、このような構成を有していない点。
【相違点６−１−２】
　本件特許発明１においては、上記相違点６−１−１に係る構成を備えた上で、「前記光起電力パネルの通気を目的とし、前記上部壁（４）から前記下部壁（３）まで前記プラスチック製ケーシング（２）を貫通するくり抜き部（１４）を有」するが、文献６発明においては、「浮力体」は、このような構成を有していない点。
【相違点６−１−３】
　本件特許発明１においては、上記相違点６−１−１に係る構成及び上記相違点６−１−２に係る構成を備えた上で、「前記維持手段が前記プラスチック製ケーシング（２）に固定されたエラストマー製の二つの固定用形材（６１、６２；６３；６４）を含み、前記二つの固定用形材（６１、６２；６３；６４）が互いに平行に延在し、各々の固定用形材が、フレーム付き光起電力パネルのフレーム（Ｃ）を挟持することを目的とする、あるいはフレーム無しの光起電力パネルを挟持することを目的とする長手方向スリット（６５）を有し、二つの固定用形材の前記長手方向スリット（６５）が光起電力パネルの平面に対して平行な同じ平面に沿って延在しており、前記二つの固定用形材（６１、６２；６３；６４）が、フレームの二つの相対する縁部（Ｃ１、Ｃ２）の挟持によるフレーム付き光起電力パネルの固定あるいは光起電力パネルの二つの縁部の挟持によるフレーム無しの光起電力パネルの固定を可能にするような形で互いに離隔されている」が、文献６発明は、このような構成を有していない点。
（イ）判断
　上記相違点について検討する。
　上記相違点６−１−１及び上記相違点６−１−２について、文献６発明の「浮力体」は、「筏やポンツーン等」であり、その上に「支柱により構成される架台を設置し、架台上に太陽電池ユニットを多数個配列して取付けた」ものである。文献６の第１図を参照すると、多数個配列された太陽電池ユニットを取り付けた架台を設置している浮力体は、長い柱状の浮力体１を組み合わせていると見られ、このように、多数個配列された太陽電池ユニットを支持する大きな浮力を得るため、長い柱状の浮力体を組み合わせているものにおいて、その浮力体を、気密な単一のプラスチック製ケーシングにすることは、当業者が容易になし得たこととはいえない。
　また、仮に、周知技術１を考慮して、文献６発明の「浮力体」を気密な単一のプラスチック製ケーシングにすることを当業者が容易に想到し得たとしても、その上で、さらに、周知技術２まで考慮し、上記相違点６−１−３に係る構成のように、エラストマー製の２つの固定用形材による光起電力パネルの維持を行うという、複数の段階を経る組み合わせを行うことまで当業者に容易であったとすることはできない。
イ　本件特許発明５
（ア）対比
　本件特許発明５と文献６発明を対比する。
　上記５（６）ア（ア）に記載したものと同様の相当関係から、本件特許発明５と文献５発明を対比したときの一致点及び相違点は、次のとおりとなる。
【一致点６−５】
「上部に光起電力パネルの維持手段を有する、
　光起電力パネル支持装置。」
【相違点６−５−１】
　本件特許発明５においては、その上部壁上に光起電力パネルの維持手段を有しているものは、「一つの下部壁（３）、一つの上部壁（４）および四つの側壁（５、６、７、８）を構成する気密な単一のプラスチック製ケーシング（２）で主に構成されたモジュール式要素」であって、「それがフロートを構成できるようにする一定の空気体積を閉じ込めることができるもの」であるが、文献６発明においては、「浮力体」は、このような構成を有していない点。
【相違点６−５−２】
　本件特許発明５においては、上記相違点６−１−１に係る構成を備えた上で、「前記光起電力パネルの通気を目的とし、前記上部壁（４）から前記下部壁（３）まで前記プラスチック製ケーシング（２）を貫通するくり抜き部（１４）を有」するが、文献６発明においては、「浮力体」は、このような構成を有していない点。
【相違点６−５−３】
　本件特許発明５においては、上記相違点６−１−１に係る構成及び上記相違点６−１−２に係る構成を備えた上で、「前記光起電力パネルの通気を目的とし、前記プラスチック製ケーシング（２）の一つの側壁から前記プラスチック製ケーシングの反対側の側壁まで延在している少なくとも一つの流路（１５、１６）」を有しているが、文献６発明においては、「浮力体」は、このような構成を有していない点。
（イ）判断
　上記相違点について検討する。
　上記５（６）ア（イ）に記載したことと同様に、上記相違点６−５−１及び上記６−５−２について、多数個配列された太陽電池ユニットを支持する大きな浮力を得るため、長い柱状の浮力体を組み合わせている文献６発明において、その浮力体を、気密な単一のプラスチック製ケーシングにすることは、当業者が容易になし得たこととはいえない。
　また、仮に、周知技術１を考慮して、文献６発明の「浮力体」を気密な単一のプラスチック製ケーシングにすることすることを当業者が容易に想到し得たとしても、さらに、上記相違点６−５−３のように、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けることまで当業者に容易であったとすることはできない。
　ここで、文献１発明は、浮体の上面に排水溝が形成され、文献３発明は、パネル支持部に形成された空気取入口を有し、文献４発明は、太陽電池モジュールを載置する領域に波板状凹凸が形成され、文献８発明は、本体の上面から突出させた板部材の上端部に太陽光発電パネルを支持しているが、これらの発明は、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けたものではない。
　文献９発明ないし文献１１発明も、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではない。
ウ　本件特許発明３、８、１１ないし１３、１５、１７、１８
　本件特許発明１、５を引用するときの本件特許発明３、８、１１ないし１３、１５、１７、１８は、本件特許発明１、５の構成を全て含むものであるから、上記５（６）ア、イに記載したものと同様の理由によって、文献６を主引例として、当業者が容易に発明し得たものではない。
（７）主引例を文献７とする場合について
ア　本件特許発明１
（ア）対比
　本件特許発明１と文献７発明を対比する。
ａ　文献７発明の「太陽光発電用モジュール」は、本件特許発明１の「光起電力パネル」に相当する。
ｂ　文献７発明の「フロート架台」は、「太陽光発電用モジュールの下部」に「接合もしくは取付け」られているから、文献７発明は、モジュールとして用いられるものであるから、「モジュール式要素である光起電力パネル支持装置」であって、「上部に光起電力パネルの維持手段を有する」ものであるといえる。
　したがって、本件特許発明１と文献７発明を対比したときの一致点及び相違点は、次のとおりである。
【一致点７−１】
「上部に光起電力パネルの維持手段を有する、モジュール式要素である、
　光起電力パネル支持装置。」
【相違点７−１−１】
　本件特許発明１においては、その上部壁上に光起電力パネルの維持手段を有しているものは、「一つの下部壁（３）、一つの上部壁（４）および四つの側壁（５、６、７、８）を構成する気密な単一のプラスチック製ケーシング（２）」であって、「それがフロートを構成できるようにする一定の空気体積を閉じ込めることができるもの」であるが、文献７発明においては、「フロート架台」は、このような構成を有しているか不明である点。
【相違点７−１−２】
　本件特許発明１においては、上記相違点７−１−１に係る構成を備えた上で、「前記光起電力パネルの通気を目的とし、前記上部壁（４）から前記下部壁（３）まで前記プラスチック製ケーシング（２）を貫通するくり抜き部（１４）を有」するが、文献７発明においては、「フロート架台」は、このような構成を有しているか不明である点。
【相違点７−１−３】
　本件特許発明１においては、上記相違点７−１−１に係る構成及び上記相違点７−１−２に係る構成を備えた上で、「前記維持手段が前記プラスチック製ケーシング（２）に固定されたエラストマー製の二つの固定用形材（６１、６２；６３；６４）を含み、前記二つの固定用形材（６１、６２；６３；６４）が互いに平行に延在し、各々の固定用形材が、フレーム付き光起電力パネルのフレーム（Ｃ）を挟持することを目的とする、あるいはフレーム無しの光起電力パネルを挟持することを目的とする長手方向スリット（６５）を有し、二つの固定用形材の前記長手方向スリット（６５）が光起電力パネルの平面に対して平行な同じ平面に沿って延在しており、前記二つの固定用形材（６１、６２；６３；６４）が、フレームの二つの相対する縁部（Ｃ１、Ｃ２）の挟持によるフレーム付き光起電力パネルの固定あるいは光起電力パネルの二つの縁部の挟持によるフレーム無しの光起電力パネルの固定を可能にするような形で互いに離隔されている」が、文献７発明は、このような構成を有していない点。
（イ）判断
　上記相違点について検討する。
　上記相違点７−１−１及び上記相違点７−１−２について、文献７発明の「フロート架台」は、枠状のものであるが、２本の円柱状の部材を断面四角の２本の部材及び１本の傾斜部材で連結したものであって、このような単純でない構造を有する文献７発明の「フロート架台」を、気密な単一のプラスチック製ケーシングとすることが、当業者にとって容易であったとすることはできない。
　また、仮に、周知技術１を考慮して、文献７発明の「フロート架台」を気密な単一のプラスチック製ケーシングにすることを当業者が容易に想到し得たとしても、その上で、さらに、周知技術２まで考慮し、上記相違点７−１−３に係る構成のように、エラストマー製の２つの固定用形材による光起電力パネルの維持を行うという、複数の段階を経る組み合わせを行うことまで当業者に容易であったとすることはできない。
イ　本件特許発明５
（ア）対比
　本件特許発明５と文献７発明を対比する。
　上記５（７）ア（ア）に記載したものと同様の相当関係から、本件特許発明５と文献７発明を対比したときの一致点及び相違点は、次のとおりとなる。
【一致点７−５】
「上部に光起電力パネルの維持手段を有する、モジュール式要素である、
　光起電力パネル支持装置。」
【相違点７−５−１】
　本件特許発明１においては、その上部壁上に光起電力パネルの維持手段を有しているものは、「一つの下部壁（３）、一つの上部壁（４）および四つの側壁（５、６、７、８）を構成する気密な単一のプラスチック製ケーシング（２）」であって、「それがフロートを構成できるようにする一定の空気体積を閉じ込めることができるもの」であるが、文献７発明においては、「フロート架台」は、このような構成を有しているかどうか不明である点。
【相違点７−５−２】
　本件特許発明１においては、上記相違点７−５−１に係る構成を備えた上で、「前記光起電力パネルの通気を目的とし、前記上部壁（４）から前記下部壁（３）まで前記プラスチック製ケーシング（２）を貫通するくり抜き部（１４）」を有しているが、文献７発明においては、「フロート架台」は、このような構成を有しているか不明である点。
【相違点７−５−３】
　本件特許発明１においては、上記相違点７−５−１に係る構成及び上記相違点７−５−２に係る構成を備えた上で、「前記光起電力パネルの通気を目的とし、前記プラスチック製ケーシング（２）の一つの側壁から前記プラスチック製ケーシングの反対側の側壁まで延在している少なくとも一つの流路（１５、１６）」を有しているが、文献７発明は、このような構成を有していない点。
（イ）判断
　上記相違点について検討する。
　上記５（７）ア（イ）に記載したことと同様に、上記相違点７−５−１及び上記相違点７−５−２について、文献７発明の「フロート架台」は、「２本の円柱状の部材を断面四角の２本の部材及び１本の傾斜部材で連結した枠状の」ものであって、このような単純でない構造を有する文献７発明の「フロート架台」を、気密な単一のプラスチック製ケーシングとすることが、当業者にとって容易であったとすることはできない。
　また、仮に、周知技術１を考慮して、文献７発明の「フロート架台」を気密な単一のプラスチック製ケーシングにすることすることを当業者が容易に想到し得たとしても、さらに、上記相違点７−５−３のように、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けることまで当業者が容易であったとすることはできない。
　ここで、文献１発明は、浮体の上面に排水溝が形成され、文献３発明は、パネル支持部に形成された空気取入口を有し、文献４発明は、太陽電池モジュールを載置する領域に波板状凹凸が形成され、文献８発明は、本体の上面から突出させた板部材の上端部に太陽光発電パネルを支持しているが、これらの発明は、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けたものではない。
　文献９発明ないし文献１１発明も、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではない。
ウ　本件特許発明３、８、１１ないし１３、１５、１７、１８
　本件特許発明１、５を引用するときの本件特許発明３、８、１１ないし１３、１５、１７、１８は、本件特許発明１、５の構成を全て含むものであるから、上記５（７）ア、イに記載したものと同様の理由によって、文献７を主引例として、当業者が容易に発明し得たものではない。
（８）主引例を文献８とする場合について
ア　本件特許発明１
（ア）対比
　本件特許発明１と文献８発明を対比する。
ａ　文献８発明の「太陽光発電パネル」は、本件特許発明１の「光起電力パネル」に相当する。
ｂ　文献８発明の「筏部」は、「太陽光発電パネル」を上に支持する「パネル支持部」を備えているから、文献８発明は、本件特許発明１の「光起電力パネル支持装置」であって、「上部に光起電力パネルの維持手段を有する」ものであるといえる。
【一致点８−１】
「上部に光起電力パネルの維持手段を有する、
　光起電力パネル支持装置。」
【相違点８−１−１】
　本件特許発明１においては、その上部壁上に光起電力パネルの維持手段を有しているものは、「一つの下部壁（３）、一つの上部壁（４）および四つの側壁（５、６、７、８）を構成する気密な単一のプラスチック製ケーシング（２）で主に構成されたモジュール式要素」であって、「それがフロートを構成できるようにする一定の空気体積を閉じ込めることができるもの」であるが、文献８発明においては、「筏部」は、このような構成を有していない点。
【相違点８−１−２】
　本件特許発明１においては、上記相違点８−１−１に係る構成を備えた上で、「前記光起電力パネルの通気を目的とし、前記上部壁（４）から前記下部壁（３）まで前記プラスチック製ケーシング（２）を貫通するくり抜き部（１４）を有」するが、文献８発明においては、「筏部」は、このような構成を有していない点。
【相違点８−１−３】
　本件特許発明１においては、上記相違点８−１−１に係る構成及び上記相違点８−１−２に係る構成を備えた上で、「前記維持手段が前記プラスチック製ケーシング（２）に固定されたエラストマー製の二つの固定用形材（６１、６２；６３；６４）を含み、前記二つの固定用形材（６１、６２；６３；６４）が互いに平行に延在し、各々の固定用形材が、フレーム付き光起電力パネルのフレーム（Ｃ）を挟持することを目的とする、あるいはフレーム無しの光起電力パネルを挟持することを目的とする長手方向スリット（６５）を有し、二つの固定用形材の前記長手方向スリット（６５）が光起電力パネルの平面に対して平行な同じ平面に沿って延在しており、前記二つの固定用形材（６１、６２；６３；６４）が、フレームの二つの相対する縁部（Ｃ１、Ｃ２）の挟持によるフレーム付き光起電力パネルの固定あるいは光起電力パネルの二つの縁部の挟持によるフレーム無しの光起電力パネルの固定を可能にするような形で互いに離隔されている」が、文献８発明は、このような構成を有していない点。
（イ）判断
　上記相違点８−１−１及び上記相違点８−１−２について、文献８発明は、「筏部」が、「非発泡の長繊維強化硬化性樹脂層で覆われた長繊維強化発泡熱硬化性樹脂で形成された板部材により構成されている」ことを主たる構成とするものであって、このような文献８発明の主たる構成を、気密な単一のプラスチック製ケーシングとすることが、当業者にとって容易であったとすることはできない。
　また、仮に、周知技術１を考慮して、文献８発明の「筏部」を気密な単一のプラスチック製ケーシングにすることを当業者が容易に想到し得たとしても、さらに、その上で、さらに、周知技術２まで考慮し、上記相違点８−１−３に係る構成のように、エラストマー製の２つの固定用形材による光起電力パネルの維持を行うという、複数の段階を経る組み合わせを行うことまで当業者に容易であったとすることはできない。
イ　本件特許発明５
（ア）対比
　本件特許発明５と文献８発明を対比する。
　上記５（８）ア（ア）に記載したものと同様の相当関係から、本件特許発明５と文献８発明を対比したときの一致点及び相違点は、次のとおりとなる。
【一致点８−５】
「上部に光起電力パネルの維持手段を有する、
　光起電力パネル支持装置。」
【相違点８−５−１】
　本件特許発明１においては、その上部壁上に光起電力パネルの維持手段を有しているものは、「一つの下部壁（３）、一つの上部壁（４）および四つの側壁（５、６、７、８）を構成する気密な単一のプラスチック製ケーシング（２）で主に構成されたモジュール式要素」であって、「それがフロートを構成できるようにする一定の空気体積を閉じ込めることができるもの」であるが、文献８発明においては、「筏部」は、このような構成を有していない点。
【相違点８−５−２】
　本件特許発明１においては、上記相違点８−５−１に係る構成を備えた上で、「前記光起電力パネルの通気を目的とし、前記上部壁（４）から前記下部壁（３）まで前記プラスチック製ケーシング（２）を貫通するくり抜き部（１４）」を有しているが、文献８発明においては、「筏部」は、このような構成を有していない点。
【相違点８−５−３】
　本件特許発明１においては、上記相違点８−５−１に係る構成及び上記相違点８−５−２に係る構成を備えた上で、「上部表面（４）上で深さ方向に延在し、前記光起電力パネルの通気を目的とし、前記プラスチック製ケーシング（２）の一つの側壁から前記プラスチック製ケーシングの反対側の側壁まで延在している少なくとも一つの流路（１５、１６）」を有しているが、文献８発明は、このような構成を有していない点。
（イ）判断
　上記５（８）ア（イ）に記載したことと同様に、上記相違点８−５−１及び上記相違点８−５−２について、文献８発明の「筏部」は、「非発泡の長繊維強化硬化性樹脂層で覆われた長繊維強化発泡熱硬化性樹脂で形成された板部材により構成されている」ものであって、このような文献８発明の「筏部」の主たる構成を、気密な単一のプラスチック製ケーシングとすることが、当業者にとって容易であったとすることはできない。
　また、仮に、周知技術１を考慮して、文献８発明の「筏部」を気密な単一のプラスチック製ケーシングにすることすることを当業者が容易に想到し得たとしても、さらに、上記相違点８−５−３のように、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から前記プラスチック製ケーシングの反対側の側壁まで延在している流路を設けることまで当業者に容易であったとすることはできない。
　ここで、文献１発明は、浮体の上面に排水溝が形成され、文献３発明は、パネル支持部に形成された空気取入口を有し、文献４発明は、太陽電池モジュールを載置する領域に波板状凹凸が形成され、文献８発明は、本体の上面から突出させた板部材の上端部に太陽光発電パネルを支持しているが、これらの発明は、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けた上で、光起電力パネルの通気を目的とし、プラスチック製ケーシングの一つの側壁から反対側の側壁まで延在している流路を設けたものではない。
　文献９発明ないし文献１１発明も、気密な単一のフロートである、一定の空気体積を閉じ込めることができるプラスチック製ケーシングにおいて、光起電力パネルの通気を目的とし、上部壁から下部壁までプラスチック製ケーシングを貫通するくり抜き部を設けたものではない。
ウ　本件特許発明３、８、１１ないし１３、１５、１７、１８
　本件特許発明１、５を引用するときの本件特許発明３、８、１１ないし１３、１５、１７、１８は、本件特許発明１、５の構成を全て含むものであるから、上記５（８）ア、イに記載したものと同様の理由によって、文献８を主引例として、当業者が容易に発明し得たものではない。
６　むすび
　したがって、特許異議の申立ての理由及び証拠によっては、請求項１、３、５、８、１１ないし１３、１５、１７、１８に係る特許を取り消すことはできない。
　また、他に請求項１、３、５、８、１１ないし１３、１５、１７、１８に係る特許を取り消すべき理由を発見しない。
　よって、結論のとおり決定する。
【異議決定日】
平成３１年３月１８日（２０１９．３．１８）